(57)【要約】【課題】ＯＳＣ通信が確立できないような長距離の光伝送区間においても装置起動などの制御を行なえるようにする。【解決手段】光送信局１００は、第１周波数をもつ制御信号光のパワーレベルを、前記第１周波数よりも低い第２周波数で変化させ、前記パワーレベルを変化させた制御信号光を、光伝送路４００を介して光受信局２００に送信し、前記光受信局２００は、前記前記光伝送路４００から前記第２周波数の信号光成分が受信されるか否かを監視する。【選択図】図１
2010011384.tif 000002
【特許請求の範囲】
【請求項１】
光受信局としての光伝送装置へ光伝送路を介して信号光を送信する光送信局としての光伝送装置であって、
第１周波数をもつ制御信号光を前記光伝送路へ送信する送信手段と、
前記制御信号光のパワーレベルを、前記第１周波数よりも低い第２周波数で変化させる制御手段と、
をそなえることを特徴とする、光伝送装置。
【請求項２】
前記制御手段は、
前記制御信号光を増幅する光増幅部と、
前記光増幅部の利得を、前記第２周波数で変化させる利得制御部と、
をそなえることを特徴とする、請求項１記載の光伝送装置。
【請求項３】
前記制御手段は、
前記制御信号光のパワーレベルを減衰する光減衰部と、
前記光減衰部の減衰量を、前記第２周波数で変化させる減衰量制御部と、
をそなえることを特徴とする、請求項１記載の光伝送装置。
【請求項４】
光送信局としての光伝送装置から光伝送路を介して信号光を受信する光受信局としての光伝送装置であって、
前記光送信局が第１周波数をもつ制御信号光のパワーレベルをその第１周波数よりも低い第２周波数で変化させて送信した信号光を受信しうる受信手段と、
前記受信手段で前記第２周波数の信号光成分が受信されるか否かを監視する監視手段と、
をそなえることを特徴とする、光伝送装置。
【請求項５】
前記制御信号光は、前記光送信局と前記光受信局との間の疎通確認に用いられる信号光であり、
前記第２周波数の信号光成分は、前記光受信局の起動処理を要求する信号光成分である、
ことを特徴とする、請求項１〜４のいずれか１項に記載の光伝送装置。
【請求項６】
光伝送路を介して信号光を送信する光送信局としての光伝送装置と、
前記光送信局から前記光伝送路を介して信号光を受信する光受信局としての光伝送装置と、
第１周波数をもつ制御信号光を前記光伝送路へ送信する送信手段と、
前記制御信号光のパワーレベルを、前記第１周波数よりも低い第２周波数で変化させる制御手段と、
前記光送信局が送信した前記制御信号光を受信しうる受信手段と、
前記受信手段で前記第２周波数の信号光成分が受信されるか否かを監視する監視手段と、
をそなえることを特徴とする、光伝送システム。
【請求項７】
光送信局としての光伝送装置と、光受信局としての光伝送装置と、前記光送信局と前記光受信局とを接続する光伝送路と、をそなえた光伝送システムの通信方法であって、
前記光送信局は、
第１周波数をもつ制御信号光のパワーレベルを、前記第１周波数よりも低い第２周波数で変化させ、
前記パワーレベルを変化させた制御信号光を、前記光伝送路を介して前記光受信局に送信し、
前記光受信局は、
前記光伝送路から前記第２周波数の信号光成分が受信されるか否かを監視する、
ことを特徴とする、光伝送システムの通信方法。
【請求項８】
前記光受信局は、
前記監視の結果、前記第２周波数の信号光成分の受信が確認された場合に、当該光受信局に設けられる、前記制御信号光にラマン利得を与えるラマン励起光源を起動し、
前記光送信局に、前記ラマン励起光源の起動を通知する、
ことを特徴とする、請求項７記載の光伝送システムの通信方法。
【発明の詳細な説明】
【技術分野】
【０００１】
本件は、光伝送装置、光伝送システム及び同システムの通信方法に関する。本件は、例えば、光増幅器を用いる光伝送システムに用いられる場合がある。
【背景技術】
【０００２】
光伝送方式の１つに、Wavelength Division Multiplexing（ＷＤＭ、波長分割多重）方式がある。
例えば、このようなＷＤＭ方式の伝送システムに用いられる伝送装置は、光増幅器を用いることにより、光電変換を行なうことなく信号光を光のまま長距離伝送することが可能である。
【０００３】
例えば、Erbium Doped Fiber Amplifier（ＥＤＦＡ、エルビウム添加ファイバ増幅器）を光伝送装置としての送受信局や１又は複数の中継局に配置することにより、長距離伝送を行なうことが可能となる。
また、ＥＤＦＡとラマン増幅器とを併用することで、更なる長距離伝送が可能となる。ラマン増幅器（ラマン励起光源）は、例えば、各伝送区間の受信局に配置することができ、光伝送路における誘導ラマン散乱現象を利用して、前記光伝送路を伝送される信号光を増幅する。
【０００４】
このような光伝送システムでは、光伝送装置間で制御、モニタ、アラーム等の情報の送受を行なうため、主信号光の伝送帯域以外の波長、例えば低波長側の波長（チャンネル）の光を、Optical Supervisory Channel（ＯＳＣ、監視制御）信号を伝送するための光として用いる場合がある。
なお、光伝送システムに関する従来例として、下記の文献が挙げられる。
【特許文献１】特開平４−２５８０３５号公報
【特許文献２】特開２０００−３３２３３１号公報
【発明の開示】
【発明が解決しようとする課題】
【０００５】
上述のような伝送システムでは、長距離の光伝送区間においてＯＳＣ信号が受信局に到達せず（ＯＳＣ通信が確立せず）、装置起動などの制御を行なうことができない場合がある。
本件の目的の一つは、ＯＳＣ通信が確立できないような長距離の光伝送区間においても装置起動などの制御を行なえるようにすることにある。
【０００６】
なお、前記目的に限らず、後述する実施形態に示す各構成により導かれる作用効果であって、従来の技術によっては得られない作用効果を奏することも他の目的の一つとして位置付けることができる。
【課題を解決するための手段】
【０００７】
例えば、以下の手段を用いる。
（１）光受信局としての光伝送装置へ光伝送路を介して信号光を送信する光送信局としての光伝送装置であって、第１周波数をもつ制御信号光を前記光伝送路へ送信する送信手段と、前記制御信号光のパワーレベルを、前記第１周波数よりも低い第２周波数で変化させる制御手段と、をそなえる光伝送装置を用いることができる。
【０００８】
（２）また、光送信局としての光伝送装置から光伝送路を介して信号光を受信する光受信局としての光伝送装置であって、前記光送信局が第１周波数をもつ制御信号光のパワーレベルをその第１周波数よりも低い第２周波数で変化させて送信した信号光を受信しうる受信手段と、前記受信手段で前記第２周波数の信号光成分が受信されるか否かを監視する監視手段と、をそなえる光伝送装置を用いることができる。
【０００９】
（３）さらに、光伝送路を介して信号光を送信する光送信局としての光伝送装置と、前記光送信局から前記光伝送路を介して信号光を受信する光受信局としての光伝送装置と、第１周波数をもつ制御信号光を前記光伝送路へ送信する送信手段と、前記制御信号光のパワーレベルを、前記第１周波数よりも低い第２周波数で変化させる制御手段と、前記光送信局が送信した前記制御信号光を受信しうる受信手段と、前記受信手段で前記第２周波数の信号光成分が受信されるか否かを監視する監視手段と、をそなえる光伝送システムを用いることができる。
【００１０】
（４）また、光送信局としての光伝送装置と、光受信局としての光伝送装置と、前記光送信局と前記光受信局とを接続する光伝送路と、をそなえた光伝送システムの通信方法であって、前記光送信局は、第１周波数をもつ制御信号光のパワーレベルを、前記第１周波数よりも低い第２周波数で変化させ、前記パワーレベルを変化させた制御信号光を、前記光伝送路を介して前記光受信局に送信し、前記光受信局は、前記光伝送路から前記第２周波数の信号光成分が受信されるか否かを監視する、光伝送システムの通信方法を用いることができる。
【発明の効果】
【００１１】
ＯＳＣ通信が確立できないような長距離の光伝送区間においても装置起動などの制御を行なうことが可能である。
【発明を実施するための最良の形態】
【００１２】
以下、図面を参照して実施の形態を説明する。ただし、以下に示す実施形態は、あくまでも例示に過ぎず、以下に示す実施形態で明示しない種々の変形や技術の適用を排除する意図はない。即ち、本実施形態は、その趣旨を逸脱しない範囲で種々変形（各実施形態を組み合わせる等）して実施することができる。
〔１〕一実施形態
図１は、一実施形態に係るＷＤＭ伝送システムの構成例を示すブロック図である。この図１に例示するＷＤＭ伝送システムは、例示的に、光送信局としての光伝送装置１００と、光受信局としての光伝送装置２００と、これらの光送信局１００と光受信局２００とを接続する光伝送路の一例としての光ファイバ４００と、をそなえる。なお、図１には、光送信局１００から光受信局２００への片方向の光通信に着目した構成を例示しているが、例えば、光受信局２００は光送信局１００と同様の構成を、光送信局１００は光受信局２００と同等の構成を、それぞれ具備して、双方向の通信を行なうことも可能である。
【００１３】
また、図１に例示する光送信局１００には、主信号光（ＷＤＭ光）を増幅するＥＤＦＡ等の光増幅器１０２がそなえられ、光受信局２００にも、主信号光（ＷＤＭ光）を増幅するＥＤＦＡ等の光増幅器２１０がそなえられる。さらに、光伝送路４００には、ＷＤＭ光を中継増幅するＥＤＦＡが設けられる場合がある。
また、光受信局２００には、ラマン増幅用励起光源（以下、ラマン励起光源ともいう）２０６が設けられる場合がある。つまり、光受信局２００は、ラマン励起光源２０６で生成したラマン励起光を光伝送路４００に対向の光送信局１００への方向へ挿入することにより、光伝送路４００を光受信局２００に向かって伝送してくる主信号光を誘導ラマン散乱現象により増幅することができる。
【００１４】
ここで、ＷＤＭ伝送システムの運用開始時などにおいては、例えば、光増幅器１０２，２１０，ラマン励起光源２０６などの起動を行なう。
その際、ＷＤＭ伝送システム内に光コネクタ開放箇所や光ファイバ切断箇所などが存在すると、これらの箇所から高出力の光が予期せず放射される可能性がある。
このような光放射を防ぐために、ＷＤＭ伝送システムでは、例えば、光増幅器１０２，２１０，ラマン励起光源２０６の起動前に、主信号光（ＷＤＭ光）に比して低出力のＯＳＣ信号を、光伝送路４００に伝送させて伝送区間の疎通状態を確認する場合がある。
【００１５】
しかしながら、光送信局１００と光受信局２００との間の伝送区間が長距離になると、光送信局１００から送信されたＯＳＣ信号の光受信局２００での受光レベルが下限値を満足できない場合がある。
この場合、ＯＳＣ信号による伝送区間の疎通確認を行なうことができないから、光増幅器１０２，２１０，ラマン励起光源２０６の起動処理を行なうことができない。
【００１６】
そこで、ＯＳＣ信号用の光増幅器を光送信局１００に別途搭載し、ＯＳＣ信号を増幅することにより、光受信局２００で十分な受光レベルを確保できるようにすることも考えられる。
しかし、光増幅器の増幅能力（利得）にも限界があるから、ＯＳＣ信号を増幅しても、やはり、光受信局２００での所要受光レベルを満足できない場合がある。
【００１７】
そこで、一般にビットレートの低い光ほど伝送距離を長くできるという性質に着目して、ＯＳＣ信号の波長とは異なる波長で、かつ、ＯＳＣ信号のビットレートよりも低いビットレートの光を疎通確認用の波長〔Pilot Channel（ＰＣ、パイロットチャンネル）〕の光として用いて疎通確認を行なうことも考えられる。
しかし、この方法では、ＯＳＣとＰＣとで個別の送受信器（監視制御系）をそなえる必要があり、光伝送装置のハードウェア構成が複雑化する場合がある。また、伝送区間の長短に応じたＯＳＣ及びＰＣの監視制御系の切り替えや、ＯＳＣとＰＣの２つのチャンネルを用いるシステム起動シーケンスを行なうことになるため、装置制御が複雑化する場合もある。
【００１８】
そこで、本例においては、光送信局１００において、制御信号の一例としてのＯＳＣ信号の送信光パワーレベルを、当該ＯＳＣ信号のビットレート（周波数）よりも低いビットレート（周波数）で変化させて（強度変調して）、光受信局２００へ送信する。
この変化（変調）された信号光は、例えば、装置起動用（一例としてラマン励起光の起動用）の制御信号光として用いることができる。ＯＳＣ信号の送信光パワーレベルを変化させる手段の一例としては、ＯＳＣ信号を増幅するSemiconductor Optical Amplifier（ＳＯＡ、半導体増幅器）の利得（駆動電流）を変化させる方法や、前記ＳＯＡの利得（駆動電流）は一定としてＳＯＡの入力又は出力光レベルを変化させる方法、などが挙げられる。詳細については後述する。これは疎通確認に用いられるＯＳＣ信号に、制御情報の一例としての装置（ラマン励起光）起動情報が重畳されていることに相当する。
【００１９】
したがって、光受信局２００では、高ビットレートのＯＳＣ信号が受信、識別できなくても、低ビットレートの装置起動用信号の周波数成分を検出（識別）できたことをもって、装置起動処理、例えば、ラマン励起光源２０６の起動を行なうことができる。
つまり、ＯＳＣ信号の本来のビットレートでは識別が困難であり実質的にＯＳＣ信号が到達できない伝送区間であっても、光受信局２００では、前記ＯＳＣ信号のビットレートよりも低いビットレートである上記装置起動用信号であれば、その受信、識別の確率が上がる。
【００２０】
したがって、ＯＳＣとは別の疎通確認用チャンネルを用意することなく、制御信号の一例としての装置起動用信号の伝送距離を実質的に拡大することができる。その結果、ＯＳＣ信号を光受信局２００に到達できるようにするための制御（例えば、ラマン励起光源２０６の起動）の成功率を向上して、安全に、ＷＤＭ伝送システムのシステム起動制御を実施することができる。
【００２１】
また、ＯＳＣ信号とは別の疎通確認用のチャンネルを用意する必要がないので、光伝送装置１００，２００の構成や制御が必要以上に複雑化することもない。
なお、光受信局２００から光送信局１００への方向についても、上記と同様の装置起動用信号を伝送すれば、上記と同様の疎通確認、起動制御を実施することが可能である。
〔２〕ＷＤＭ伝送システムの具体例
以下、上述したＷＤＭ伝送システムの詳細について説明する。
【００２２】
（２．１）光送信局１００
図１に示す光送信局１００は、既述の光増幅器１０２のほか、例示的に、複数の信号光送信器１０１−１，１０１−２，１０１−３，・・・，１０１−ｎ（ｎは２以上の整数）と、ＷＤＭカプラ１１６と、光増幅器１０２と、光カプラ１０３と、をそなえる。これらの要素は、主信号光伝送系の一例として用いられる。また、この送信局１００は、ＯＳＣ光送信系ＯＳＣ信号送信器（ＯＳＣ  Ｔｘ）１０４と、Variable Optical attenuator（ＶＯＡ、可変光減衰器）１０５と、減衰量制御回路１０６と、ＳＯＡ１０７と、駆動電流制御回路１０８と、をそなえる。なお、以下において、信号光送信器１０１−１，１０１−２，１０１−３，・・・，１０１−ｎを区別しない場合は、単に信号光送信器１０１と表記する。また、信号光送信器１０１の数は、図１に例示する数に限定されない。
【００２３】
ここで、信号光送信器１０１は、それぞれ、ＷＤＭ光として波長多重されるいずれかの波長（チャンネル）の主信号光を生成、送出するもので、例えば、レーザダイオード（ＬＤ）等の光源や、当該光源の光にデータを重畳する光変調器などを含む。
ＷＤＭカプラ１１６は、各信号光送信器１０１からの複数波長の主信号光をＷＤＭ光に波長多重する。
【００２４】
光増幅器１０２は、ＷＤＭカプラ１１６からのＷＤＭ光（主信号光）を増幅する。この光増幅器１０２は、既述のようにＯＳＣ信号による疎通確認がなされてから起動されることが好ましい。
ＯＳＣ信号送信器（送信手段）１０４は、光伝送路４００へのＯＳＣ信号を生成、送信する。本例のＯＳＣ信号は、第１のビットレート（周波数ｆＯＳＣ）を有する。このＯＳＣ信号は、光送信局１００と光受信局２００との間の疎通確認に用いられる制御信号の一例として用いられる。
【００２５】
ＶＯＡ（光減衰部）１０５は、ＯＳＣ信号送信器１０４からのＯＳＣ信号の光パワーレベルを減衰する機能を具備する。このＶＯＡ１０５による減衰量は、例えば、減衰量制御回路１０６によって制御することができる。
減衰量制御回路１０６は、ＶＯＡ１０５の前記減衰量を制御する。この減衰量制御回路１０６は、ＯＳＣ信号送信器１０４で生成されたＯＳＣ信号の光パワー（レベル）が後段のＳＯＡ１０７の入力光レベルの許容範囲内に収まるように、ＶＯＡ１０５の減衰量を制御する。その際、減衰量制御回路１０６は、ＳＯＡ１０７への入力光パワーレベルが一定レベルとなるようにＶＯＡ１０５の減衰量を制御することもできる。
【００２６】
ＳＯＡ（光増幅部）１０７は、光ゲートスイッチとしての機能と光増幅機能とを兼ね備えた光デバイスである。本例のＳＯＡ１０７は、ＶＯＡ１０５にて光パワーレベルが調整された前記ＯＳＣ信号を、駆動電流制御回路１０８から供給される駆動電流に応じた光利得で増幅する。
駆動電流制御回路（利得制御部）１０８は、ＳＯＡ１０７に与える駆動電流を制御してＳＯＡ１０７の光利得（増幅利得）を制御する。ＳＯＡ１０７の入力光パワーレベルが一定の状態において前記駆動電流のビットレート（周波数）を変化させると、その変化に応じてＳＯＡ１０７の光利得も変化する。例えば、ＳＯＡ１０７に与える駆動電流を、ＯＳＣ信号の第１のビットレート（周波数ｆＯＳＣ）よりも低い第２のビットレート（周波数ｆＰＣ）で変化させると、ＳＯＡ１０７の光利得も周波数ｆＰＣで変化し、ＳＯＡ１０７からは周波数ｆＰＣの成分が重畳されたＯＳＣ信号光が出力されることになる。本例では、この周波数ｆＰＣの成分の信号を、光受信局２００を起動するための制御信号として用いる。
【００２７】
図２にその一例を示す。この図２に示すように、ＳＯＡ１０７は、例示的に、符号「ａ」で示す駆動電流−利得特性を有するものと仮定する。すなわち、ＳＯＡ１０７の光利得（ＳＯＡ利得）〔ｄＢ〕は、駆動電流制御回路１０８から与える駆動電流〔ｍＡ〕の大きさに比例して（線形的に）大きくなる。なお、駆動電流が或る一定値以上になると、光利得は比例的に増加せず飽和してゆく。そのため、ＳＯＡ１０７の動作点は、前記特性の線形的な領域に設定される。
【００２８】
このようなＳＯＡ１０７に対して、図２の符号「ｂ」で示すような、ＯＳＣ信号の第１のビットレート（周波数ｆＯＳＣ）よりも低い第２のビットレート（周波数ｆＰＣ）の駆動電流を駆動電流制御回路１０８から与えると、ＳＯＡ１０７の光利得は、図２の符号「ｃ」で示すように、周波数ｆＰＣで変化する。
したがって、例えば図３に示すように、ＳＯＡ１０７に周波数ｆＯＳＣのＯＳＣ信号が入力されると、光利得が周波数ｆＰＣで変化するために、その周波数ｆＰＣの成分がＯＳＣ信号に重畳される。本例の光送信局１００は、このようにして周波数ｆＰＣの装置起動用の制御信号（装置起動用信号）を生成する。
【００２９】
即ち、本例のＶＯＡ１０５，減衰量制御回路１０６，ＳＯＡ１０７及び駆動電流制御回路１０８は、周波数ｆＯＳＣのＯＳＣ信号のパワーレベルを、その周波数ｆＯＳＣよりも低い周波数ｆＰＣで変化させる制御手段の一例として機能する。
光カプラ１０３は、光増幅器１０２で増幅されたＷＤＭ信号と、ＳＯＡ１０７の出力光、つまりはＯＳＣ信号（装置起動用信号）と、を合波して光伝送路４００へ出力する。
【００３０】
上述のように、本例の光送信局１００は、周波数ｆＯＳＣのＯＳＣ信号をＳＯＡ１０７に入力して、ＳＯＡ１０７の光利得を周波数ｆＰＣ（＜ｆＯＳＣ）で周期的に変化させることにより、周波数ｆＰＣの装置起動用信号が重畳されたＯＳＣ信号を生成する。そして、このＯＳＣ信号（装置起動用信号）を、光伝送路４００を介して光受信局２００へ送信することができる。
【００３１】
したがって、光送信局１００と光受信局２００との間の伝送距離がＯＳＣ信号を増幅しても光受信局２００に到達できないような長距離の光伝送区間であっても、ＯＳＣ信号（装置起動用信号）が光受信局２００に到達する確率を向上させることが可能となる。また、装置起動用信号は、ＯＳＣ信号を変調することで生成するので、既述のパイロットチャネルのような個別の送信器（光源や光変調器）をそなえる必要がない。よって、光送信局２００と光受信局２００との間の伝送距離に応じて、送受信器（監視制御系）の切り替え，起動シーケンスの切り替えを行なう必要がないので、装置制御が複雑化しない。
【００３２】
（２．２）光受信局２００
一方、図１に例示する、光受信局２００は、既述の光増幅器２１０及びラマン励起光源２０６のほか、例示的に、光カプラ２０１と、Monitor Photo Diode（Ｍｏｎ  ＰＤ、光モニタ用ＰＤ）２０２と、Analog Digital Convertor（ＡＤＣ、アナログ・デジタル変換回路）２０３と、をそなえる。また、この光受信局２００は、信号処理回路２０４と、制御回路２０５と、光カプラ２０７，２０８と、ＯＳＣ信号受信器（ＯＳＣ  Ｒｘ）２０９と、ＷＤＭカプラ２１１と、をそなえる。
【００３３】
ここで、光カプラ２０１（受信手段）は、光伝送路４００を通じて受信された信号光のうちＯＳＣの波長成分の信号光を分波して、光モニタ用ＰＤ２０２へ出力する。
光モニタ用ＰＤ２０２（受光デバイス）は、光カプラ２０１から入力されるＯＳＣ信号光成分を光電変換して受光パワーに応じた電気信号（アナログ信号）を生成する。装置起動用信号のビットレート（周波数ｆＰＣ）は、伝送距離を延ばすためにＯＳＣ信号よりも低いビットレートであるため、ＯＳＣ信号受信器２０９で受信可能な信号帯域から外れるおそれがある。そこで、本例では、受光パワー（レベル）のモニタに用いられるＰＤ２０２を装置起動用信号の受信のために使用する。
【００３４】
なお、この光モニタ用ＰＤ２０２の後段には、前記電気信号のうち、前記周波数ｆＰＣの成分を通過させるアクティブフィルタを設けてもよい。このようにすれば、受信ＯＳＣ信号の受光レベルが低い場合でも、そのＯＳＣ信号に重畳されている低ビットレート（周波数ｆＰＣ）の信号成分を検出できる確率を上げることができる。
ＡＤＣ（サンプリング部）２０３は、光モニタ用ＰＤ２０２（あるいは前記アクティブフィルタ）で得られたアナログ信号を所定の周期でサンプリングすることにより、デジタル信号に変換する。このデジタル信号が、受光パワーのモニタ値として信号処理回路２０４で用いられる。
【００３５】
したがって、装置起動用信号のビットレート（周波数ｆＰＣ）を、ＡＤＣ２０３のサンプリング周期よりも低く設定しておけば、逆にいうと、光伝送路４００からの入力光の受光レベルの検出周期を周波数ｆＰＣよりも高く設定しておけば、装置起動用信号を適切にサンプリングして識別することが可能となる。その一例を図４に示す。この図４に例示するように、（１）で示すような波形（周波数ｆＰＣ）をもつ装置起動用信号を、（２）で示すように、前記周波数ｆＰＣよりも高い周波数のＡＤＣサンプリング用クロックでサンプリングすれば、装置起動用信号を適切に識別することが可能となる。
【００３６】
信号処理回路２０４は、ＡＤＣ２０３での識別結果を基に、光送信局１００から送信された装置起動用信号が受信できたかどうかを監視する。例えば、信号処理回路２０４は、ＡＤＣ２０３の出力に前記周波数ｆＰＣの成分が観測されたことをもって、装置起動用信号を受信したと判定する。
制御回路（ラマン励起光源制御部）２０５は、信号処理回路２０４での判定結果に基づき、ラマン励起光源２０６の起動制御を行なう。例えば、制御回路２０５は、信号処理部２０４で装置起動用信号が受信されたと判定された場合に、光送信局１００との間の伝送区間の疎通が確認されたものとして、ラマン励起光源２０６の起動処理を行なう。
【００３７】
これにより、光伝送路４００においてＯＳＣ信号がラマン増幅されるから、本来のビットレートのＯＳＣ信号をＯＳＣ信号受信器２０９にて受信、識別することが可能となる。したがって、制御回路２０５は、ラマン励起光源２０６の起動（つまりは、装置起動用信号の受信）を光送信局１００に通知すれば、光送信局１００に、以後、ＯＳＣ信号の前記変調（装置起動用信号の重畳）が不要であることを認識させることができる。
【００３８】
つまり、この場合の制御回路２０５は、光送信局１００へ、光受信局２００で装置起動用信号が受信されたことを通知する通知部の一例として機能する。この通知は、例えば、光受信局２００から光送信局１００への方向の伝送を行なうための図示しない光伝送路（対向回線）を用いて行なうことができる。前記通知を受けた光送信局１００は、ＯＳＣ信号に対する前記変調を停止し、ＯＳＣ通信が確立すれば、光増幅器（ＥＤＦＡ）１０２の起動制御を実施する。
【００３９】
即ち、本例の光モニタ用ＰＤ２０２，ＡＤＣ２０３，信号処理回路２０４及び制御回路２０５は、周波数ｆＰＣの信号光成分（前記装置起動用信号）が受信されるか否かを監視する監視手段の一例として機能する。
また、本例の信号処理回路２０４及び制御回路２０５は、前記監視の結果、前記装置起動用信号の受信が確認された場合に、ＷＤＭ伝送システムのシステム起動処理（例えば、ラマン励起光源２０６の起動処理）を実施するシステム起動処理部の一例として機能する。
【００４０】
一方、信号処理回路２０４において装置起動用信号の受信が確認されない場合、制御回路２０５は、光増幅器２１０やラマン励起光源２０６の起動制御は行なわない。
ラマン励起光源２０６は、光伝送路４００における誘導ラマン散乱現象を利用して光送信局１００から送信されたＷＤＭ信号を増幅（ラマン増幅）するためのラマン励起光を生成する。このラマン励起光源２０６は、ＯＳＣ信号又は前記装置起動用信号の受信が確認されてから制御回路２０５によって起動することができる。
【００４１】
光カプラ２０７は、ラマン励起光源２０６からのラマン励起光を、光伝送路４００に挿入する。このラマン励起光は、光伝送路４００を伝送されるＷＤＭ信号の伝送方向とは逆方向に伝送される。
光カプラ２０８は、光伝送路４００から受信されたＷＤＭ信号のうちＯＳＣ信号成分を分波してＯＳＣ信号受信器２０８へ出力する。なお、ＯＳＣ信号以外の主信号光は、光増幅器２１０側へ出力される。
【００４２】
ＯＳＣ信号受信器２０９は、光カプラ２０８で分波されたＯＳＣ信号を受信処理して、その信号内容に応じた各種制御を行なう。なお、本例において、このＯＳＣ信号受信部２０９にて、装置起動用信号よりも高ビットレートであるＯＳＣ信号の受信が識別可能である場合は、ＡＤＣ２０３、信号処理回路２０４において、低ビットレートの前記装置起動用信号の識別も可能なはずである。
【００４３】
光増幅器２１０は、光伝送路４００を通じて受信されたＷＤＭ信号を増幅する。この光増幅器２１０は、例えば、ＯＳＣ信号受信器２０９にてＯＳＣ信号が受信、識別されて（つまり、ＯＳＣ通信が確立して）から、起動制御される。この光増幅器２１０の起動も例えば制御回路２０５によって行なうことが可能である。
ＷＤＭカプラ２１１は、光増幅器２１０で増幅されたＷＤＭ信号を各チャンネルの信号光に分波する。
【００４４】
（２．３）ＷＤＭ伝送システムの動作例
上記ＷＤＭ伝送システムの動作例（起動方法）について、図５を用いて説明する。
まず、光送信局１００では、ＯＳＣ信号送信器１０４によって、周波数ｆＯＳＣのＯＳＣ信号の生成、送信を開始する（ステップＳ１００）。
ＯＳＣ信号は、ＶＯＡ１０５及び減衰量制御回路１０６により、その光パワー（レベル）がＳＯＡ１０７の入力光レベルの許容範囲内に収まるように、また、ＳＯＡ１０７への入力光パワーレベルが一定レベルとなるように減衰制御される（ステップＳ１０１）。
【００４５】
駆動電流制御回路１０８は、ＳＯＡ１０７に与える駆動電流を一定レベルに制御し（ステップＳ１０２）、ＳＯＡ１０７での増幅利得が一定の値となるように制御する。
ここで、ＳＯＡ１０７は、所定のレベル以上の駆動電流が与えられなければ損失媒体として動作する。そのため、駆動電流制御回路１０８は、例えば、ＳＯＡ１０７からの出力光パワーレベルがＯＳＣ信号送信器１０４からの出力光パワーレベルと同程度となるようにＳＯＡ１０７に駆動電流を与える。
【００４６】
ＳＯＡ１０７により増幅されたＯＳＣ信号は、光カプラ１０３により光伝送路４００に挿入され、光受信局４００へ送信される。光受信局２００は、ＯＳＣ信号受信器２０９により前記ＯＳＣ信号を受信、識別できたか（つまり、ＯＳＣ通信が確立したか）どうかを判定する（ステップＳ１０３）。
その結果、ＯＳＣ通信が確立したと判定した場合（ステップＳ１０３のＹｅｓルート）、光受信局２００は、ラマン励起光源２０６、光増幅器（ＥＤＦＡ）２１０を起動する（ステップＳ１１５）。
【００４７】
光送信局１００は、対向回線のＯＳＣ通信の確立により、光増幅器（ＥＤＦＡ）１０２を起動して、主信号光（ＷＤＭ光）の送信を開始する（ステップＳ１１４）。
一方、前記ＯＳＣ通信が確立しない場合（ステップＳ１０３のＮｏルート）、光送信局１００は、ＳＯＡ１０７から出力されるＯＳＣ信号の出力光パワーレベルを増加制御する（ステップＳ１０４）。この制御は、例えば、駆動電流制御回路１０８からＳＯＡ１０７に与える駆動電流を大きくするか、減衰量制御回路１０６によりＶＯＡ１０５の減衰量を小さくするか、あるいはその両方を行なうことで可能である。その際、ＳＯＡ１０７の出力光パワーレベルは決まった値（例えば、上限値）まで一度に増大させてもよいし、上限値まで段階的に増大させてもよい（ステップＳ１０５のＮｏ（紙面左側方向）ルート）。
【００４８】
光送信局１００は、ＳＯＡ１０７の出力光パワーレベルの増大により、光受信局２００とのＯＳＣ通信が確立できたかを判定する（ステップＳ１０５）。
ＯＳＣ通信が確立できた場合（ステップＳ１０５のＹｅｓルート）、光受信局２００は、ラマン励起光源２０６、光増幅器（ＥＤＦＡ）２１０を起動する（ステップＳ１１５）。光送信局１００は、対向回線のＯＳＣ通信の確立により、光増幅器（ＥＤＦＡ）１０２を起動して、主信号光（ＷＤＭ光）の送信を開始する（ステップＳ１１４）。
【００４９】
一方、ＳＯＡ１０７の出力光パワーレベルが上限値に達してもＯＳＣ通信が確立できない場合（ステップＳ１０５のＮｏ（紙面下側方向）ルート）、光送信局１００は、駆動電流制御回路１０８によって、ＳＯＡ１０７に与える駆動電流を図２で説明したように制御してＳＯＡ１０７の増幅利得を周波数ｆＯＳＣよりも低い周波数ｆＰＣで変化させることにより、ＯＳＣ信号のパワーレベルを周波数ｆＰＣで変化させて、周波数ｆＰＣの装置起動用信号を生成する（ステップＳ１０６）。
【００５０】
この装置起動用信号が重畳されたＯＳＣ信号は、光カプラ１０３により光伝送路４００に挿入されて、光受信局２００へ伝送される。光受信局２００では、光モニタ用ＰＤ２０２、ＡＤＣ２０３及び信号処理回路２０４により、前記装置起動用信号が受信、識別できるか否かを監視する（ステップＳ１０７）。
信号処理回路２０４にて、前記装置起動用信号の受信が識別されない場合（ステップＳ１０７のＮｏルート）、光受信局２００は、光増幅器２１０やラマン励起光源２０６の起動制御は行なわない（ステップＳ１０８）。
【００５１】
一方、信号処理回路２０４にて装置起動用信号の受信が識別できた場合（ステップＳ１０７のＹｅｓルート）、光受信局２００は、制御回路２０５により、ラマン励起光源２０６を起動する（ステップＳ１０９）。また、光受信局２００は、当該起動の旨を対向回線にて光送信局１００へ通知する（ステップＳ１１０）。前記ラマン励起光源２０６の起動通知は、光受信局２００（信号処理回路２０４）にて装置起動用信号の受信が確認されたことを光送信局１００に通知する意味もある。
【００５２】
光受信局２００から前記通知を受けた光送信局１００は、駆動電流制御回路１０８によってＳＯＡ１０７に与える駆動電流を一定に制御してＳＯＡ１０７での増幅利得を一定に制御することで、ＯＳＣ信号に装置起動用信号を重畳することを中止する（装置起動用信号の生成を停止する）（ステップＳ１１１）。
その後、光受信局２００は、前記ラマン励起光源２０６の起動により、光送信局１００からのＯＳＣ信号がＯＳＣ信号受信器２０９にて受信、識別できるようになり、光送信局１００とのＯＳＣ通信が確立する（ステップＳ１１２）。ＯＳＣ通信が確立できた場合、光受信局２００は、光増幅器（ＥＤＦＡ）２１０を起動する。
【００５３】
そして、対向回線のＯＳＣ通信も確立でき、光送信局１００は、その確立が確認されてから、ＥＤＦＡ１０２を起動して（ステップＳ１１３）、主信号光（ＷＤＭ光）の送信を開始する（ステップＳ１１４）。
以上のように、本例のＷＤＭ伝送システムでは、送信局１００において、周波数ｆＯＳＣのＯＳＣ信号をＳＯＡ１０７に入力して、ＳＯＡ１０７の光利得を周波数ｆＰＣ（＜ｆＯＳＣ）で周期的に変化させることにより、周波数ｆＰＣの装置起動用信号が重畳されたＯＳＣ信号を生成する。そして、このＯＳＣ信号（装置起動用信号）を、光伝送路４００を介して光受信局２００へ送信する。
【００５４】
したがって、光送信局１００と光受信局２００との間の伝送距離が、光受信局２００のラマン励起光源２０６を起動しないと（ラマン利得が無ければ）ＯＳＣ通信が確立できないような長距離の光伝送区間であっても、装置起動用信号は光受信局２００に到達させることが可能となる。したがって、光受信局２００のラマン励起光源２０６を起動して、ＯＳＣ通信の確立、ＥＤＦＡ１０２，２１０の起動の成功率を上げることができる。
【００５５】
なお、図１に例示する光送信局１００の代わりに、図６に例示する光送信局１００−Ａを用いることもできる。
この図６に示す光送信局１００−Ａは、光送信局１００が有していたＶＯＡ１０５及び減衰量制御回路１０６の代わりに固定減衰器（ＰＡＴＴ）１０９を有する。なお、光送信局１００−Ａの他の構成は、光送信局１００の他の構成と同様であり、光伝送路４００及び光受信局２００の構成も図１に例示する構成と同様である。
【００５６】
ここで、ＰＡＴＴ１０９は、ＯＳＣ信号送信器１０４からのＯＳＣ信号の光パワーレベルを減衰する機能を具備する。本例のＰＡＴＴ１０９は、ＯＳＣ信号送信器１０４で生成されたＯＳＣ信号の光パワー（レベル）が後段のＳＯＡ１０７の入力光レベルの許容範囲内に収まるように、ＯＳＣ信号の減衰量を制御する。その際、ＰＡＴＴ１０９は、ＳＯＡ１０７への入力光パワーレベルが一定レベルとなるようにＯＳＣ信号の減衰量を制御することもできる。
【００５７】
また、図１に例示する光送信局１００や、図６に例示する光送信局１００−Ａの代わりに図７に例示する光送信局１００−Ｂを用いることもできる。
この図７に示す光送信局１００−Ｂは、光送信局１００からＶＯＡ１０５及び減衰量制御回路１０６を取り除いた構成を有する。なお、光送信局１００−Ｂの他の構成は、光送信局１００の他の構成と同様であり、光伝送路４００及び光受信局２００の構成も図１に例示する構成と同様である。
【００５８】
その代わりに、光送信局１００−Ｂは、ＯＳＣ信号送信器１０４により、ＯＳＣ信号の光パワー（レベル）が後段のＳＯＡ１０７の入力光レベルの許容範囲内に収まるように、ＯＳＣ信号のパワーレベルを予め制御する。また、光送信局１００−ＢのＯＳＣ信号送信器１０４は、ＳＯＡ１０７への入力光パワーレベルが一定レベルとなるようにＯＳＣ信号のパワーレベルを予め制御することもできる。
【００５９】
これらの光送信局１００−Ａ及び光送信局１００−Ｂも、図５に例示する動作例と同様の動作を実施することにより、図６及び図７に例示するＷＤＭ伝送システムも、上述した図１のＷＤＭ伝送システムでの効果と同様の効果を得ることができる。
（２．４）第１変形例
上述した例では、ＳＯＡ１０７の入力光パワーレベルが一定の状態において、ＳＯＡ１０７の増幅利得を周波数ＰＣで変化させることにより装置起動用信号を生成したが、ＳＯＡ１０７の増幅利得一定の状態において、ＶＯＡ１０５の減衰量を周波数ＰＣで変化させることにより装置起動用信号を生成することもできる。
【００６０】
本例の減衰量制御回路（減衰量制御部）１０６は、例えば、ＶＯＡ１０５の駆動電流を、ＯＳＣ信号の第１のビットレート（周波数ｆＯＳＣ）よりも低い第２のビットレート（周波数ｆＰＣ）で変化させることにより、ＶＯＡ１０５の減衰量を周波数ｆＰＣで変化させる。これにより、ＶＯＡ１０５からは光受信局２００を起動するのに用いられる制御情報が周波数ｆＰＣの成分として重畳されたＯＳＣ信号光が出力されることになる。
【００６１】
ＶＯＡ１０５から前記装置起動用信号が入力されたＳＯＡ１０７は、駆動電流制御回路１０８から一定の駆動電流を与えられるので、一定の増幅利得を発生する。
図８にその一例を示す。この図８に示すように、ＳＯＡ１０７は、例示的に、符号「ｄ」で示す入力光パワー−出力光パワー特性を有し、一定の駆動電流を与えられているものと仮定する。すなわち、ＳＯＡ１０７の出力光パワー〔ｄＢｍ〕は、前段のＶＯＡ１０５から与えられるＳＯＡ１０７への入力光パワー〔ｄＢｍ〕の大きさに比例して（線形的に）大きくなる。なお、入力光パワーが或る一定値以上になると、出力光パワーは比例的に増加せず飽和してゆく。そのため、ＳＯＡ１０７の動作点は、前記特性の線形的な領域に設定される。
【００６２】
このようなＳＯＡ１０７に対して、図８の符号「ｅ」で示すような、ＯＳＣ信号の第１のビットレート（周波数ｆＯＳＣ）よりも低い第２のビットレート（周波数ｆＰＣ）の装置起動用信号が重畳されたＯＳＣ信号を与えると、ＳＯＡ１０７の光利得が一定であるため、ＳＯＡ１０７の出力光パワーは、図８の符号「ｆ」で示すように、周波数ｆＰＣが維持されて増幅される。
【００６３】
したがって、本例の場合も、例えば図３に示すように、周波数ｆＰＣの成分がＯＳＣ信号に重畳される。本例の光送信局１００は、このようにして周波数ｆＰＣの装置起動用の制御信号（装置起動用信号）を生成する。
これにより、本例のＷＤＭ伝送システムも、上述した実施形態と同様の効果を得ることが可能となる。
【００６４】
（２．５）第２変形例
また、上述した例では、ＳＯＡ１０７の増幅利得またはＶＯＡ１０５の減衰量を周波数ｆＰＣで変化させることにより装置起動用信号を生成したが、ＳＯＡ１０７の増幅利得及びＶＯＡ１０５の減衰量を一定に制御し、ＯＳＣ信号送信器１０４の出力、停止を周波数ｆＰＣで切り替えることにより装置起動用信号を生成することもできる。
【００６５】
即ち、本例の光送信局１００は、例えば、ＯＳＣ信号送信器１０４が予め有する制御機能あるいは外部からの制御などにより、ＯＳＣ信号送信器１０４の出力、停止（オン、オフ）動作を、周波数ｆＰＣで周期的に切り替えることにより、周波数ｆＰＣの装置起動用信号を生成する。なお、図６及び図７に例示する光送信局１００−Ａ，１００−Ｂにおいても同様のオンオフ制御を行なうようにしてもよい。
【００６６】
本例のＷＤＭ伝送システムの動作例（起動方法）について、図９を用いて説明する。
まず、光送信局１００では、ＯＳＣ信号送信器１０４によって、周波数ｆＯＳＣのＯＳＣ信号の生成、送信を開始する（ステップＳ２００）。
ＯＳＣ信号は、ＶＯＡ１０５及び減衰量制御回路１０６により、その光パワー（レベル）がＳＯＡ１０７の入力光レベルの許容範囲内に収まるように、また、ＳＯＡ１０７への入力光パワーレベルが一定レベルとなるように減衰制御される（ステップＳ２０１）。
【００６７】
駆動電流制御回路１０８は、ＳＯＡ１０７に与える駆動電流を一定レベルに制御し（ステップＳ２０２）、ＳＯＡ１０７での増幅利得が一定の値となるように制御する。
ここで、ＳＯＡ１０７は、所定のレベル以上の駆動電流が与えられなければ損失媒体として動作する。そのため、駆動電流制御回路１０８は、例えば、ＳＯＡ１０７からの出力光パワーレベルがＯＳＣ信号送信器１０４からの出力光パワーレベルと同程度となるようにＳＯＡ１０７に駆動電流を与える。
【００６８】
ＳＯＡ１０７により増幅されたＯＳＣ信号は、光カプラ１０３により光伝送路４００に挿入され、光受信局４００へ送信される。光受信局２００は、ＯＳＣ信号受信器２０９により前記ＯＳＣ信号を受信、識別できたか（つまり、ＯＳＣ通信が確立したか）どうかを判定する（ステップＳ２０３）。
その結果、ＯＳＣ通信が確立したと判定した場合（ステップＳ２０３のＹｅｓルート）、光受信局２００は、ラマン励起光源２０６、光増幅器（ＥＤＦＡ）２１０を起動する（ステップＳ２１５）。
【００６９】
光送信局１００は、対向回線のＯＳＣ通信の確立により、光増幅器（ＥＤＦＡ）１０２を起動して、主信号光（ＷＤＭ光）の送信を開始する（ステップＳ２１４）。
一方、前記ＯＳＣ通信が確立しない場合（ステップＳ２０３のＮｏルート）、光送信局１００は、ＳＯＡ１０７から出力されるＯＳＣ信号の出力光パワーレベルを増加制御する（ステップＳ２０４）。この制御は、例えば、駆動電流制御回路１０８からＳＯＡ１０７に与える駆動電流を大きくするか、減衰量制御回路１０６によりＶＯＡ１０５の減衰量を小さくするか、あるいはその両方を行なうことで可能である。その際、ＳＯＡ１０７の出力光パワーレベルは決まった値（例えば、上限値）まで一度に増大させてもよいし、上限値まで段階的に増大させてもよい（ステップＳ２０５のＮｏ（紙面左側方向）ルート）。
【００７０】
光送信局１００は、ＳＯＡ１０７の出力光パワーレベルの増大により、光受信局２００とのＯＳＣ通信が確立できたかを判定する（ステップＳ２０５）。
ＯＳＣ通信が確立できた場合（ステップＳ２０５のＹｅｓルート）、光受信局２００は、ラマン励起光源２０６、光増幅器（ＥＤＦＡ）２１０を起動する（ステップＳ２１５）。光送信局１００は、対向回線のＯＳＣ通信の確立により、光増幅器（ＥＤＦＡ）１０２を起動して、主信号光（ＷＤＭ光）の送信を開始する（ステップＳ２１４）。
【００７１】
一方、ＳＯＡ１０７の出力光パワーレベルが上限値に達してもＯＳＣ通信が確立できない場合（ステップＳ２０５のＮｏ（紙面下側方向）ルート）、光送信局１００は、ＯＳＣ信号送信器１０４の出力動作と停止動作とを周波数ｆＯＳＣよりも低い周波数ｆＰＣで切り替えることにより、ＯＳＣ信号のパワーレベルを周波数ｆＰＣで変化させて、周波数ｆＰＣの装置起動用信号を生成する（ステップＳ２０６）。
【００７２】
この装置起動用信号が重畳されたＯＳＣ信号は、光カプラ１０３により光伝送路４００に挿入されて、光受信局２００へ伝送される。光受信局２００では、光モニタ用ＰＤ２０２、ＡＤＣ２０３及び信号処理回路２０４により、前記装置起動用信号が受信、識別できるか否かを監視する（ステップＳ２０７）。
信号処理回路２０４にて、前記装置起動用信号の受信が識別されない場合（ステップＳ２０７のＮｏルート）、光受信局２００は、光増幅器２１０やラマン励起光源２０６の起動制御は行なわない（ステップＳ２０８）。
【００７３】
一方、信号処理回路２０４にて装置起動用信号の受信が識別できた場合（ステップＳ２０７のＹｅｓルート）、光受信局２００は、制御回路２０５により、ラマン励起光源２０６を起動する（ステップＳ２０９）。また、光受信局２００は、当該起動の旨を対向回線にて光送信局１００へ通知する（ステップＳ２１０）。前記ラマン励起光源２０６の起動通知は、光受信局２００（信号処理回路２０４）にて装置起動用信号の受信が確認されたことを光送信局１００に通知する意味もある。
【００７４】
光受信局２００から前記通知を受けた光送信局１００は、ＯＳＣ信号送信器１０４がＯＳＣ信号を出力したままとなるように制御して、ＯＳＣ信号に装置起動用信号を重畳することを中止する（装置起動用信号の生成を停止する）（ステップＳ２１１）。
その後、光受信局２００は、前記ラマン励起光源２０６の起動により、光送信局１００からのＯＳＣ信号がＯＳＣ信号受信器２０９にて受信、識別できるようになり、光送信局１００とのＯＳＣ通信が確立する（ステップＳ２１２）。ＯＳＣ通信が確立できた場合、光受信局２００は、光増幅器（ＥＤＦＡ）２１０を起動する。
【００７５】
そして、対向回線のＯＳＣ通信も確立でき、光送信局１００は、その確立が確認されてから、ＥＤＦＡ１０２を起動して（ステップＳ２１３）、主信号光（ＷＤＭ光）の送信を開始する（ステップＳ２１４）。
これにより、上述した実施形態と同様の効果を得ることが可能となる。
（２．６）第３変形例
また、図１，図６及び図７に例示する光送信局１００，１００−Ａ，１００−Ｂの代わりに、図１０〜図１２に例示する光送信局１００−Ｃ，１００−Ｄ，１００−Ｅを用いることもできる。これらの光送信局１００−Ｃ，１００−Ｄ，１００−Ｅは、それぞれ、光送信局１００，１００−Ａ，１００−Ｂの構成に加えて、ＳＯＡ１０７と光カプラ１０３との間に、ＶＯＡ１１１及び減衰量制御回路１１０を有する。なお、光送信局１００−Ｃ，１００−Ｄ，１００−Ｅの他の構成は、それぞれ、光送信局１００，１００−Ａ，１００−Ｂの他の構成と同様であり、ＥＤＦＡ３００，光伝送路４００及び光受信局２００の構成も図１に例示する構成と同様である。
【００７６】
即ち、本例の光送信局１００−Ｃ，１００−Ｄ，１００−Ｅは、ＶＯＡ１０５の減衰量及びＳＯＡ１０７の増幅利得を一定に制御し、ＶＯＡ１１１の減衰量を周波数ｆＰＣで変化させることにより、装置起動用信号を生成する。
ＶＯＡ（光減衰部）１１１は、ＳＯＡ１０７からのＯＳＣ信号の光パワーレベルを減衰する機能を具備する。このＶＯＡ１１１による減衰は、例えば、減衰量制御回路１１０によって制御することができる。
【００７７】
減衰量制御回路１１０は、ＶＯＡ１１１の前記減衰量を制御する。本例の減衰量制御回路（減衰量制御部）１１０は、例えば、ＶＯＡ１１１の駆動電流を、ＯＳＣ信号の第１のビットレート（周波数ｆＯＳＣ）よりも低い第２のビットレート（周波数ｆＰＣ）で変化させることにより、ＶＯＡ１１１の減衰量を周波数ｆＰＣで変化させる。これにより、ＶＯＡ１１１からは光受信局２００を起動するのに用いられる制御情報が周波数ｆＰＣの成分として重畳されたＯＳＣ信号光が出力されることになる。
【００７８】
上記ＷＤＭ伝送システムの動作例（起動方法）について、図１３を用いて説明する。
まず、光送信局１００−Ｃ，１００−Ｄ，１００−Ｅでは、ＯＳＣ信号送信器１０４によって、周波数ｆＯＳＣのＯＳＣ信号の生成、送信を開始する（ステップＳ３００）。
ＯＳＣ信号は、ＶＯＡ１０５及び減衰量制御回路１０６により、その光パワー（レベル）がＳＯＡ１０７の入力光レベルの許容範囲内に収まるように、また、ＳＯＡ１０７への入力光パワーレベルが一定レベルとなるように減衰制御される（ステップＳ３０１）。
【００７９】
駆動電流制御回路１０８は、ＳＯＡ１０７に与える駆動電流を一定レベルに制御し（ステップＳ３０２）、ＳＯＡ１０７での増幅利得が一定の値となるように制御する。
ここで、ＳＯＡ１０７は、所定のレベル以上の駆動電流が与えられなければ損失媒体として動作する。そのため、駆動電流制御回路１０８は、例えば、ＳＯＡ１０７からの出力光パワーレベルがＯＳＣ信号送信器１０４からの出力光パワーレベルと同程度となるようにＳＯＡ１０７に駆動電流を与える。
【００８０】
ＳＯＡ１０７により増幅されたＯＳＣ信号は、光カプラ１０３により光伝送路４００に挿入され、光受信局４００へ送信される。光受信局２００は、ＯＳＣ信号受信器２０９により前記ＯＳＣ信号を受信、識別できたか（つまり、ＯＳＣ通信が確立したか）どうかを判定する（ステップＳ３０３）。
その結果、ＯＳＣ通信が確立したと判定した場合（ステップＳ３０３のＹｅｓルート）、光受信局２００は、ラマン励起光源２０６、光増幅器（ＥＤＦＡ）２１０を起動する（ステップＳ３１５）。
【００８１】
光送信局１００−Ｃ，１００−Ｄ，１００−Ｅは、対向回線のＯＳＣ通信の確立により、光増幅器（ＥＤＦＡ）１０２を起動して、主信号光（ＷＤＭ光）の送信を開始する（ステップＳ３１４）。
一方、前記ＯＳＣ通信が確立しない場合（ステップＳ３０３のＮｏルート）、光送信局１００−Ｃ，１００−Ｄ，１００−Ｅは、ＳＯＡ１０７から出力されるＯＳＣ信号の出力光パワーレベルを増加制御する（ステップＳ３０４）。この制御は、例えば、駆動電流制御回路１０８からＳＯＡ１０７に与える駆動電流を大きくするか、減衰量制御回路１０６によりＶＯＡ１０５の減衰量を小さくするか、あるいはその両方を行なうことで可能である。その際、ＳＯＡ１０７の出力光パワーレベルは決まった値（例えば、上限値）まで一度に増大させてもよいし、上限値まで段階的に増大させてもよい（ステップＳ３０５のＮｏ（紙面左側方向）ルート）。
【００８２】
光送信局１００−Ｃ，１００−Ｄ，１００−Ｅは、ＳＯＡ１０７の出力光パワーレベルの増大により、光受信局２００とのＯＳＣ通信が確立できたかを判定する（ステップＳ３０５）。
ＯＳＣ通信が確立できた場合（ステップＳ３０５のＹｅｓルート）、光受信局２００は、ラマン励起光源２０６、光増幅器（ＥＤＦＡ）２１０を起動する（ステップＳ３１５）。光送信局１００−Ｃ，１００−Ｄ，１００−Ｅは、対向回線のＯＳＣ通信の確立により、光増幅器（ＥＤＦＡ）１０２を起動して、主信号光（ＷＤＭ光）の送信を開始する（ステップＳ３１４）。
【００８３】
一方、ＳＯＡ１０７の出力光パワーレベルが上限値に達してもＯＳＣ通信が確立できない場合（ステップＳ３０５のＮｏ（紙面下側方向）ルート）、光送信局１００−Ｃ，１００−Ｄ，１００−Ｅは、ＶＯＡ１１１の減衰量を周波数ｆＯＳＣよりも低い周波数ｆＰＣで変化させることにより、ＯＳＣ信号のパワーレベルを周波数ｆＰＣで変化させて、装置起動用信号を生成する（ステップＳ３０６）。
【００８４】
この装置起動用信号が重畳されたＯＳＣ信号は、光カプラ１０３により光伝送路４００に挿入されて、光受信局２００へ伝送される。光受信局２００では、光モニタ用ＰＤ２０２、ＡＤＣ２０３及び信号処理回路２０４により、前記装置起動用信号が受信、識別できるか否かを監視する（ステップＳ３０７）。
信号処理回路２０４にて、前記装置起動用信号の受信が識別されない場合（ステップＳ３０７のＮｏルート）、光受信局２００は、光増幅器２１０やラマン励起光源２０６の起動制御は行なわない（ステップＳ３０８）。
【００８５】
一方、信号処理回路２０４にて装置起動用信号の受信が識別できた場合（ステップＳ３０７のＹｅｓルート）、光受信局２００は、制御回路２０５により、ラマン励起光源２０６を起動する（ステップＳ３０９）。また、光受信局２００は、当該起動の旨を対向回線にて光送信局１００−Ｃ，１００−Ｄ，１００−Ｅへ通知する（ステップＳ３１０）。前記ラマン励起光源２０６の起動通知は、光受信局２００（信号処理回路２０４）にて装置起動用信号の受信が確認されたことを光送信局１００−Ｃ，１００−Ｄ，１００−Ｅに通知する意味もある。
【００８６】
光受信局２００から前記通知を受けた光送信局１００−Ｃ，１００−Ｄ，１００−Ｅは、ＶＯＡ１０５での減衰量を一定に制御することで、ＯＳＣ信号に装置起動用信号を重畳することを中止する（装置起動用信号の生成を停止する）（ステップＳ３１１）。
その後、光受信局２００は、前記ラマン励起光源２０６の起動により、光送信局１００−Ｃ，１００−Ｄ，１００−ＥからのＯＳＣ信号がＯＳＣ信号受信器２０９にて受信、識別できるようになり、光送信局１００−Ｃ，１００−Ｄ，１００−ＥとのＯＳＣ通信が確立する（ステップＳ３１２）。ＯＳＣ通信が確立できた場合、光受信局２００は、光増幅器（ＥＤＦＡ）２１０を起動する。
【００８７】
そして、対向回線のＯＳＣ通信も確立でき、光送信局１００−Ｃ，１００−Ｄ，１００−Ｅは、その確立が確認されてから、ＥＤＦＡ１０２を起動して（ステップＳ３１３）、主信号光（ＷＤＭ光）の送信を開始する（ステップＳ３１４）。
これにより、上述した実施形態と同様の効果を得ることが可能となる。
（２．７）第４変形例
また、図１，図６及び図７に例示する光送信局１００，１００−Ａ，１００−Ｂの代わりに、図１４〜図１９に例示する光送信局１００−Ｆ，１００−Ｇ，１００−Ｈ，１００−Ｉ，１００−Ｊ，１００−Ｋを用いることもできる。光送信局１００−Ｆ，１００−Ｇ，１００−Ｈは、それぞれ、光送信局１００，１００−Ａ，１００−Ｂの構成に加えて、ＳＯＡ１０７の前段に、光シャッター１１２及び制御回路１１３を有する。また、光送信局１００−Ｉ，１００−Ｊ，１００−Ｋは、それぞれ、光送信局１００，１００−Ａ，１００−Ｂの構成に加えて、ＳＯＡ１０７と光カプラ１０３との間に、光シャッター１１２及び制御回路１１３を有する。なお、光送信局１００−Ｆ，１００−Ｇ，１００−Ｈ、及び、光送信局１００−Ｉ，１００−Ｊ，１００−Ｋの他の構成は、それぞれ、光送信局１００，１００−Ａ，１００−Ｂの他の構成と同様であり、ＥＤＦＡ３００，光伝送路４００及び光受信局２００の構成も図１に例示する構成と同様である。
【００８８】
即ち、本例の光送信局１００−Ｆ，１００−Ｇ，１００−Ｈ，１００−Ｉ，１００−Ｊ，１００−Ｋは、ＶＯＡ１０５の減衰量及びＳＯＡ１０７の増幅利得を一定に制御し、光シャッター１１２によりＯＳＣ信号を周波数ｆＰＣで周期的に通過又は遮断する（周波数ｆＰＣで通過又は遮断を切り替える）ことにより、装置起動用信号を生成する。
光シャッター（通過／遮断部）１１２は、ＯＳＣ信号送信器１１４で生成された周波数ｆＯＳＣのＯＳＣ信号を通過又は遮断する。この光シャッター１１２の動作は、例えば、制御回路１１３によって制御することができる。
【００８９】
制御回路１１３は、光シャッター１１２の前記通過、遮断動作を制御する。本例の制御回路（通過／遮断制御部）１１３は、例えば、光シャッター１１２に与える駆動電流の供給又は停止の周期を、ＯＳＣ信号の第１のビットレート（周波数ｆＯＳＣ）よりも低い第２のビットレート（周波数ｆＰＣ）で変化させる。これにより、光シャッター１１２からは光受信局２００を起動するのに用いられる制御情報が周波数ｆＰＣの成分として重畳されたＯＳＣ信号光が出力されることになる。
【００９０】
上記ＷＤＭ伝送システムの動作例（起動方法）について、図２０を用いて説明する。
まず、光送信局１００−Ｆ，１００−Ｇ，１００−Ｈ，１００−Ｉ，１００−Ｊ，１００−Ｋでは、ＯＳＣ信号送信器１０４によって、周波数ｆＯＳＣのＯＳＣ信号の生成、送信を開始する（ステップＳ４００）。
ＯＳＣ信号は、ＶＯＡ１０５及び減衰量制御回路１０６により、その光パワー（レベル）がＳＯＡ１０７の入力光レベルの許容範囲内に収まるように、また、ＳＯＡ１０７への入力光パワーレベルが一定レベルとなるように減衰制御される（ステップＳ４０１）。
【００９１】
駆動電流制御回路１０８は、ＳＯＡ１０７に与える駆動電流を一定レベルに制御し（ステップＳ４０２）、ＳＯＡ１０７での増幅利得が一定の値となるように制御する。
ここで、ＳＯＡ１０７は、所定のレベル以上の駆動電流が与えられなければ損失媒体として動作する。そのため、駆動電流制御回路１０８は、例えば、ＳＯＡ１０７からの出力光パワーレベルがＯＳＣ信号送信器１０４からの出力光パワーレベルと同程度となるようにＳＯＡ１０７に駆動電流を与える。
【００９２】
ＳＯＡ１０７により増幅されたＯＳＣ信号は、光カプラ１０３により光伝送路４００に挿入され、光受信局４００へ送信される。光受信局２００は、ＯＳＣ信号受信器２０９により前記ＯＳＣ信号を受信、識別できたか（つまり、ＯＳＣ通信が確立したか）どうかを判定する（ステップＳ４０３）。
その結果、ＯＳＣ通信が確立したと判定した場合（ステップＳ４０３のＹｅｓルート）、光受信局２００は、ラマン励起光源２０６、光増幅器（ＥＤＦＡ）２１０を起動する（ステップＳ４１５）。
【００９３】
光送信局１００−Ｆ，１００−Ｇ，１００−Ｈ，１００−Ｉ，１００−Ｊ，１００−Ｋは、対向回線のＯＳＣ通信の確立により、光増幅器（ＥＤＦＡ）１０２を起動して、主信号光（ＷＤＭ光）の送信を開始する（ステップＳ４１４）。
一方、前記ＯＳＣ通信が確立しない場合（ステップＳ４０３のＮｏルート）、光送信局１００−Ｆ，１００−Ｇ，１００−Ｈ，１００−Ｉ，１００−Ｊ，１００−Ｋは、ＳＯＡ１０７から出力されるＯＳＣ信号の出力光パワーレベルを増加制御する（ステップＳ４０４）。この制御は、例えば、駆動電流制御回路１０８からＳＯＡ１０７に与える駆動電流を大きくするか、減衰量制御回路１０６によりＶＯＡ１０５の減衰量を小さくするか、あるいはその両方を行なうことで可能である。その際、ＳＯＡ１０７の出力光パワーレベルは決まった値（例えば、上限値）まで一度に増大させてもよいし、上限値まで段階的に増大させてもよい（ステップＳ４０５のＮｏ（紙面左側方向）ルート）。
【００９４】
光送信局１００−Ｆ，１００−Ｇ，１００−Ｈ，１００−Ｉ，１００−Ｊ，１００−Ｋは、ＳＯＡ１０７の出力光パワーレベルの増大により、光受信局２００とのＯＳＣ通信が確立できたかを判定する（ステップＳ４０５）。
ＯＳＣ通信が確立できた場合（ステップＳ４０５のＹｅｓルート）、光受信局２００は、ラマン励起光源２０６、光増幅器（ＥＤＦＡ）２１０を起動する（ステップＳ４１５）。光送信局１００−Ｆ，１００−Ｇ，１００−Ｈ，１００−Ｉ，１００−Ｊ，１００−Ｋは、対向回線のＯＳＣ通信の確立により、光増幅器（ＥＤＦＡ）１０２を起動して、主信号光（ＷＤＭ光）の送信を開始する（ステップＳ４１４）。
【００９５】
一方、ＳＯＡ１０７の出力光パワーレベルが上限値に達してもＯＳＣ通信が確立できない場合（ステップＳ４０５のＮｏ（紙面下側方向）ルート）、光送信局１００−Ｆ，１００−Ｇ，１００−Ｈ，１００−Ｉ，１００−Ｊ，１００−Ｋは、光シャッター１１２の通過、遮断動作（開閉動作）を周波数ｆＯＳＣよりも低い周波数ｆＰＣで切り替えることにより、ＯＳＣ信号のパワーレベルを周波数ｆＰＣで変化させて、装置起動用信号を生成する（ステップＳ４０６）。
【００９６】
この装置起動用信号が重畳されたＯＳＣ信号は、光カプラ１０３により光伝送路４００に挿入されて、光受信局２００へ伝送される。光受信局２００では、光モニタ用ＰＤ２０２、ＡＤＣ２０３及び信号処理回路２０４により、前記装置起動用信号が受信、識別できるか否かを監視する（ステップＳ４０７）。
信号処理回路２０４にて、前記装置起動用信号の受信が識別されない場合（ステップＳ４０７のＮｏルート）、光受信局２００は、光増幅器２１０やラマン励起光源２０６の起動制御は行なわない（ステップＳ４０８）。
【００９７】
一方、信号処理回路２０４にて装置起動用信号の受信が識別できた場合（ステップＳ４０７のＹｅｓルート）、光受信局２００は、制御回路２０５により、ラマン励起光源２０６を起動する（ステップＳ４０９）。また、光受信局２００は、当該起動の旨を対向回線にて光送信局１００−Ｆ，１００−Ｇ，１００−Ｈ，１００−Ｉ，１００−Ｊ，１００−Ｋへ通知する（ステップＳ４１０）。前記ラマン励起光源２０６の起動通知は、光受信局２００（信号処理回路２０４）にて装置起動用信号の受信が確認されたことを光送信局１００−Ｆ，１００−Ｇ，１００−Ｈ，１００−Ｉ，１００−Ｊ，１００−Ｋに通知する意味もある。
【００９８】
光受信局２００から前記通知を受けた光送信局１００−Ｆ，１００−Ｇ，１００−Ｈ，１００−Ｉ，１００−Ｊ，１００−Ｋは、光シャッター１１２の動作が通過（開）動作のままとなるように制御して、ＯＳＣ信号に装置起動用信号を重畳することを中止する（装置起動用信号の生成を停止する）（ステップＳ４１１）。
その後、光受信局２００は、前記ラマン励起光源２０６の起動により、光送信局１００−Ｆ，１００−Ｇ，１００−Ｈ，１００−Ｉ，１００−Ｊ，１００−ＫからのＯＳＣ信号がＯＳＣ信号受信器２０９にて受信、識別できるようになり、光送信局１００−Ｆ，１００−Ｇ，１００−Ｈ，１００−Ｉ，１００−Ｊ，１００−ＫとのＯＳＣ通信が確立する（ステップＳ４１２）。ＯＳＣ通信が確立できた場合、光受信局２００は、光増幅器（ＥＤＦＡ）２１０を起動する。
【００９９】
そして、対向回線のＯＳＣ通信も確立でき、光送信局１００−Ｆ，１００−Ｇ，１００−Ｈ，１００−Ｉ，１００−Ｊ，１００−Ｋは、その確立が確認されてから、ＥＤＦＡ１０２を起動して（ステップＳ４１３）、主信号光（ＷＤＭ光）の送信を開始する（ステップＳ４１４）。
これにより、上述した実施形態と同様の効果を得ることが可能となる。
【０１００】
（２．８）第５変形例
また、図１に例示する光送信局１００の代わりに、図２１に例示する光送信局１００−Ｌを用いることもできる。
この図２１に示す光送信局１００−Ｌは、光送信局１００の構成に加えて、メモリ１１４及び演算・制御回路１１５を有する。なお、光送信局１００−Ｌの他の構成は、光送信局１００の他の構成と同様であり、ＥＤＦＡ３００，光伝送路４００及び光受信局２００の構成も図１に例示する構成と同様である。
【０１０１】
メモリ１１４は、光送信局１００−Ｌと光受信局２００との間の伝送区間距離と、前記伝送区間距離に適したビットレート（周波数）値とが予め対応付けられたテーブルを保持する。このテーブルの内容は、システム制御用端末（図示省略）やユーザによって作成、更新することができる。
演算・制御回路１１５は、減衰量制御回路１０６または駆動電流制御回路１０８、あるいはそれらの両方を制御する。本例の演算・制御回路１１５は、ユーザなどにより予め設定されるＷＤＭシステムの運用情報（波長数や伝送区間距離など）と、メモリ１１４が保持するテーブルの内容とに基づいて、伝送区間距離に適したビットレートでＶＯＡ１０５の減衰量やＳＯＡ１０７の増幅利得を変化させる。
【０１０２】
その際、本例の演算・制御回路（周波数制御部）１１５は、周波数ｆＰＣを、光送信局１００−Ｌと光受信局２００との間の伝送区間距離が長いほど低い値に制御する。
本例のＶＯＡ１０５またはＳＯＡ１０７は、演算・制御回路１１５により制御されたビットレート（周波数ｆＰＣ）で減衰量または増幅利得を変化させることにより、装置起動用信号を生成することができる。
【０１０３】
これにより、光送信局１００−Ｌは、長距離の伝送区間距離であってもＯＳＣ信号が受信局２００に到達する確率をさらに向上させることが可能となる。
上記ＷＤＭ伝送システムの動作例（起動方法）について、図２２を用いて説明する。
まず、光送信局１００−Ｌでは、ユーザなどにより光送信局１００−Ｌと光受信局２００との間の伝送区間距離などの初期情報（運用情報）が設定され（ステップＳ５００）、ＯＳＣ信号送信器１０４によって、周波数ｆＯＳＣのＯＳＣ信号の生成、送信が開始される（ステップＳ５０１）。
【０１０４】
ＯＳＣ信号は、ＶＯＡ１０５及び減衰量制御回路１０６により、その光パワー（レベル）がＳＯＡ１０７の入力光レベルの許容範囲内に収まるように、また、ＳＯＡ１０７への入力光パワーレベルが一定レベルとなるように減衰制御される（ステップＳ５０２）。
駆動電流制御回路１０８は、ＳＯＡ１０７に与える駆動電流を一定レベルに制御し（ステップＳ５０３）、ＳＯＡ１０７での増幅利得が一定の値となるように制御する。
【０１０５】
ここで、ＳＯＡ１０７は、所定のレベル以上の駆動電流が与えられなければ損失媒体として動作する。そのため、駆動電流制御回路１０８は、例えば、ＳＯＡ１０７からの出力光パワーレベルがＯＳＣ信号送信器１０４からの出力光パワーレベルと同程度となるようにＳＯＡ１０７に駆動電流を与える。
ＳＯＡ１０７により増幅されたＯＳＣ信号は、光カプラ１０３により光伝送路４００に挿入され、光受信局４００へ送信される。光受信局２００は、ＯＳＣ信号受信器２０９により前記ＯＳＣ信号を受信、識別できたか（つまり、ＯＳＣ通信が確立したか）どうかを判定する（ステップＳ５０４）。
【０１０６】
その結果、ＯＳＣ通信が確立したと判定した場合（ステップＳ５０４のＹｅｓルート）、光受信局２００は、ラマン励起光源２０６、光増幅器（ＥＤＦＡ）２１０を起動する（ステップＳ５１７）。
光送信局１００−Ｌは、対向回線のＯＳＣ通信の確立により、光増幅器（ＥＤＦＡ）１０２を起動して、主信号光（ＷＤＭ光）の送信を開始する（ステップＳ５１６）。
【０１０７】
一方、前記ＯＳＣ通信が確立しない場合（ステップＳ５０４のＮｏルート）、光送信局１００−Ｌは、ＳＯＡ１０７から出力されるＯＳＣ信号の出力光パワーレベルを増加制御する（ステップＳ５０５）。この制御は、例えば、駆動電流制御回路１０８からＳＯＡ１０７に与える駆動電流を大きくするか、減衰量制御回路１０６によりＶＯＡ１０５の減衰量を小さくするか、あるいはその両方を行なうことで可能である。その際、ＳＯＡ１０７の出力光パワーレベルは決まった値（例えば、上限値）まで一度に増大させてもよいし、上限値まで段階的に増大させてもよい（ステップＳ５０６のＮｏ（紙面左側方向）ルート）。
【０１０８】
光送信局１００−Ｌは、ＳＯＡ１０７の出力光パワーレベルの増大により、光受信局２００とのＯＳＣ通信が確立できたかを判定する（ステップＳ５０６）。
ＯＳＣ通信が確立できた場合（ステップＳ５０６のＹｅｓルート）、光受信局２００は、ラマン励起光源２０６、光増幅器（ＥＤＦＡ）２１０を起動する（ステップＳ５１７）。光送信局１００−Ｌは、対向回線のＯＳＣ通信の確立により、光増幅器（ＥＤＦＡ）１０２を起動して、主信号光（ＷＤＭ光）の送信を開始する（ステップＳ５１６）。
【０１０９】
一方、ＳＯＡ１０７の出力光パワーレベルが上限値に達してもＯＳＣ通信が確立できない場合（ステップＳ５０６のＮｏ（紙面下側方向）ルート）、光送信局１００−Ｌは、メモリ１１４及び演算・制御回路１１５により、伝送区間距離に適した装置起動用信号のビットレート（周波数ｆＰＣ）を決定する（ステップＳ５０７）。
そして、光送信局１００−Ｌは、駆動電流制御回路１０８によって、上記決定したビットレート（周波数ｆＰＣ）でＳＯＡ１０７の増幅利得を変化させることにより、ＯＳＣ信号のパワーレベルを周波数ｆＰＣで変化させて、周波数ｆＰＣの装置起動用信号を生成する（ステップＳ５０８）。
【０１１０】
この装置起動用信号が重畳されたＯＳＣ信号は、光カプラ１０３により光伝送路４００に挿入されて、光受信局２００へ伝送される。光受信局２００では、光モニタ用ＰＤ２０２、ＡＤＣ２０３及び信号処理回路２０４により、前記装置起動用信号が受信、識別できるか否かを監視する（ステップＳ５０９）。
信号処理回路２０４にて、前記装置起動用信号の受信が識別されない場合（ステップＳ５０９のＮｏルート）、光受信局２００は、光増幅器２１０やラマン励起光源２０６の起動制御は行なわない（ステップＳ５１０）。
【０１１１】
一方、信号処理回路２０４にて装置起動用信号の受信が識別できた場合（ステップＳ５０９のＹｅｓルート）、光受信局２００は、制御回路２０５により、ラマン励起光源２０６を起動する（ステップＳ５１１）。また、光受信局２００は、当該起動の旨を対向回線にて光送信局１００−Ｌへ通知する（ステップＳ５１２）。前記ラマン励起光源２０６の起動通知は、光受信局２００（信号処理回路２０４）にて装置起動用信号の受信が確認されたことを光送信局１００−Ｌに通知する意味もある。
【０１１２】
光受信局２００から前記通知を受けた光送信局１００−Ｌは、駆動電流制御回路１０８によってＳＯＡ１０７に与える駆動電流を一定に制御してＳＯＡ１０７での増幅利得を一定に制御することで、ＯＳＣ信号に装置起動用信号を重畳することを中止する（装置起動用信号の生成を停止する）（ステップＳ５１３）。
その後、光受信局２００は、前記ラマン励起光源２０６の起動により、光送信局１００−ＬからのＯＳＣ信号がＯＳＣ信号受信器２０９にて受信、識別できるようになり、光送信局１００−ＬとのＯＳＣ通信が確立する（ステップＳ５１４）。ＯＳＣ通信が確立できた場合、光受信局２００は、光増幅器（ＥＤＦＡ）２１０を起動する。
【０１１３】
そして、対向回線のＯＳＣ通信も確立でき、光送信局１００−Ｌは、その確立が確認されてから、ＥＤＦＡ１０２を起動して（ステップＳ５１５）、主信号光（ＷＤＭ光）の送信を開始する（ステップＳ５１６）。
これにより、光送信局１００−Ｌは、長距離の伝送区間距離であってもＯＳＣ信号が受信局２００に到達する確率をさらに向上させることが可能となる。
【０１１４】
なお、上述した動作例では、ＳＯＡ１０７の増幅利得を周波数ｆＰＣで変化させることにより装置起動用信号を生成したが、もちろん、上記の各変形例で説明した方法により装置起動用信号を生成するようにしてもよい。
（２．９）第６変形例
また、上述した例では、光送信局１００−Ｌと光受信局２００との間の伝送区間距離に基づいて装置起動用信号のビットレートを決定したが、前記伝送区間距離とＯＳＣ信号の送信レベル（ＯＳＣ信号送信器１０４の出力光パワーレベル）とに基づいて装置起動用信号のビットレートを決定するようにしてもよい。
【０１１５】
本例のＷＤＭ伝送システムは、図２１に例示するＷＤＭ伝送システムと同様の構成を有する。
本例の演算・制御回路（周波数制御部）１１５は、ユーザなどにより予め設定されるＷＤＭシステムの運用情報（波長数や伝送区間距離など）と、ＯＳＣ信号送信器１０４の出力光パワーレベル（送信レベル）とに応じて周波数ｆＰＣを決定する。本例の演算・制御回路１１５は、例えば、伝送区間距離と上記送信レベルとに基づいて、光受信局２００でのＯＳＣ信号の受光レベル予測値を算出（演算）し、この受光レベル予測値が小さいほど、周波数ｆＰＣを低い値に制御する。
【０１１６】
本例のＶＯＡ１０５またはＳＯＡ１０７は、演算・制御回路１１５により制御されたビットレート（周波数ｆＰＣ）で減衰量または増幅利得を変化させることにより、装置起動用信号を生成することができる。
これにより、光送信局１００−Ｌは、長距離の伝送区間距離であってもＯＳＣ信号が受信局２００に到達する確率をさらに向上させることが可能となる。
【０１１７】
上記ＷＤＭ伝送システムの動作例（起動方法）について、図２３を用いて説明する。
まず、光送信局１００−Ｌでは、ユーザなどにより光送信局１００−Ｌと光受信局２００との間の伝送区間距離などの初期情報（運用情報）が設定され（ステップＳ６００）、ＯＳＣ信号送信器１０４によって、周波数ｆＯＳＣのＯＳＣ信号の生成、送信が開始される（ステップＳ６０１）。
【０１１８】
ＯＳＣ信号は、ＶＯＡ１０５及び減衰量制御回路１０６により、その光パワー（レベル）がＳＯＡ１０７の入力光レベルの許容範囲内に収まるように、また、ＳＯＡ１０７への入力光パワーレベルが一定レベルとなるように減衰制御される（ステップＳ６０２）。
駆動電流制御回路１０８は、ＳＯＡ１０７に与える駆動電流を一定レベルに制御し（ステップＳ６０３）、ＳＯＡ１０７での増幅利得が一定の値となるように制御する。
【０１１９】
ここで、ＳＯＡ１０７は、所定のレベル以上の駆動電流が与えられなければ損失媒体として動作する。そのため、駆動電流制御回路１０８は、例えば、ＳＯＡ１０７からの出力光パワーレベルがＯＳＣ信号送信器１０４からの出力光パワーレベルと同程度となるようにＳＯＡ１０７に駆動電流を与える。
ＳＯＡ１０７により増幅されたＯＳＣ信号は、光カプラ１０３により光伝送路４００に挿入され、光受信局４００へ送信される。光受信局２００は、ＯＳＣ信号受信器２０９により前記ＯＳＣ信号を受信、識別できたか（つまり、ＯＳＣ通信が確立したか）どうかを判定する（ステップＳ６０４）。
【０１２０】
その結果、ＯＳＣ通信が確立したと判定した場合（ステップＳ６０４のＹｅｓルート）、光受信局２００は、ラマン励起光源２０６、光増幅器（ＥＤＦＡ）２１０を起動する（ステップＳ６１８）。
光送信局１００−Ｌは、対向回線のＯＳＣ通信の確立により、光増幅器（ＥＤＦＡ）１０２を起動して、主信号光（ＷＤＭ光）の送信を開始する（ステップＳ６１７）。
【０１２１】
一方、前記ＯＳＣ通信が確立しない場合（ステップＳ６０４のＮｏルート）、光送信局１００−Ｌは、ＳＯＡ１０７から出力されるＯＳＣ信号の出力光パワーレベルを増加制御する（ステップＳ６０５）。この制御は、例えば、駆動電流制御回路１０８からＳＯＡ１０７に与える駆動電流を大きくするか、減衰量制御回路１０６によりＶＯＡ１０５の減衰量を小さくするか、あるいはその両方を行なうことで可能である。その際、ＳＯＡ１０７の出力光パワーレベルは決まった値（例えば、上限値）まで一度に増大させてもよいし、上限値まで段階的に増大させてもよい（ステップＳ６０６のＮｏ（紙面左側方向）ルート）。
【０１２２】
光送信局１００−Ｌは、ＳＯＡ１０７の出力光パワーレベルの増大により、光受信局２００とのＯＳＣ通信が確立できたかを判定する（ステップＳ６０６）。
ＯＳＣ通信が確立できた場合（ステップＳ６０６のＹｅｓルート）、光受信局２００は、ラマン励起光源２０６、光増幅器（ＥＤＦＡ）２１０を起動する（ステップＳ６１８）。光送信局１００−Ｌは、対向回線のＯＳＣ通信の確立により、光増幅器（ＥＤＦＡ）１０２を起動して、主信号光（ＷＤＭ光）の送信を開始する（ステップＳ６１７）。
【０１２３】
一方、ＳＯＡ１０７の出力光パワーレベルが上限値に達してもＯＳＣ通信が確立できない場合（ステップＳ６０６のＮｏ（紙面下側方向）ルート）、光送信局１００−Ｌは、メモリ１１４及び演算・制御回路１１５により、伝送区間距離とＯＳＣ信号送信器１０４の送信レベルとに基づいて、光受信局２００でのＯＳＣ信号の受光レベル（予測）値を算出する（ステップＳ６０７）。
【０１２４】
そして、光送信局１００−Ｌは、上記算出した受光レベルに応じた装置起動用信号のビットレート（周波数）を決定し（ステップＳ６０８）、駆動電流制御回路１０８によって、上記決定したビットレート（周波数ｆＰＣ）でＳＯＡ１０７の増幅利得を変化させることにより、ＯＳＣ信号のパワーレベルを周波数ｆＰＣで変化させて、周波数ｆＰＣの装置起動用信号を生成する（ステップＳ６０９）。
【０１２５】
この装置起動用信号が重畳されたＯＳＣ信号は、光カプラ１０３により光伝送路４００に挿入されて、光受信局２００へ伝送される。光受信局２００では、光モニタ用ＰＤ２０２、ＡＤＣ２０３及び信号処理回路２０４により、前記装置起動用信号が受信、識別できるか否かを監視する（ステップＳ６１０）。
信号処理回路２０４にて、前記装置起動用信号の受信が識別されない場合（ステップＳ６１０のＮｏルート）、光受信局２００は、光増幅器２１０やラマン励起光源２０６の起動制御は行なわない（ステップＳ６１１）。
【０１２６】
一方、信号処理回路２０４にて装置起動用信号の受信が識別できた場合（ステップＳ６１０のＹｅｓルート）、光受信局２００は、制御回路２０５により、ラマン励起光源２０６を起動する（ステップＳ６１２）。また、光受信局２００は、当該起動の旨を対向回線にて光送信局１００−Ｌへ通知する（ステップＳ６１３）。前記ラマン励起光源２０６の起動通知は、光受信局２００（信号処理回路２０４）にて装置起動用信号の受信が確認されたことを光送信局１００−Ｌに通知する意味もある。
【０１２７】
光受信局２００から前記通知を受けた光送信局１００−Ｌは、駆動電流制御回路１０８によってＳＯＡ１０７に与える駆動電流を一定に制御してＳＯＡ１０７での増幅利得を一定に制御することで、ＯＳＣ信号に装置起動用信号を重畳することを中止する（装置起動用信号の生成を停止する）（ステップＳ６１４）。
その後、光受信局２００は、前記ラマン励起光源２０６の起動により、光送信局１００−ＬからのＯＳＣ信号がＯＳＣ信号受信器２０９にて受信、識別できるようになり、光送信局１００−ＬとのＯＳＣ通信が確立する（ステップＳ６１５）。ＯＳＣ通信が確立できた場合、光受信局２００は、光増幅器（ＥＤＦＡ）２１０を起動する。
【０１２８】
そして、対向回線のＯＳＣ通信も確立でき、光送信局１００−Ｌは、その確立が確認されてから、ＥＤＦＡ１０２を起動して（ステップＳ６１６）、主信号光（ＷＤＭ光）の送信を開始する（ステップＳ６１７）。
これにより、光送信局１００−Ｌは、長距離の伝送区間距離であってもＯＳＣ信号が受信局２００に到達する確率をさらに向上させることが可能となる。
【０１２９】
なお、上述した動作例では、ＳＯＡ１０７の増幅利得を周波数ｆＰＣで変化させることにより装置起動用信号を生成したが、もちろん、上記の各変形例で説明した方法により装置起動用信号を生成するようにしてもよい。
（２．１０）第７変形例
また、上記の各実施例において、光送信局１００，１００−Ａ〜１００−Ｌは、上述した各方法により生成した周波数ｆＰＣの装置起動用信号が、光受信局２００で受信（識別）が確認されたことを検知するまで、前記装置起動用信号のビットレート（周波数）を段階的に低く制御するようにしてもよい。
【０１３０】
即ち、本例の光送信局１００，１００−Ａ〜１００−Ｌは、上記の各方法により生成した装置起動用信号を光受信局２００へ送信してから、所定の時間内に、前記光受信局２００で装置起動用信号を識別できたことに関する通知（応答）がない場合、現状のビットレートでは、装置起動用信号が光受信局２００に到達できないと判定する。そして、前記応答が得られるまで、各制御回路（周波数低下制御回路）１０４，１０６，１０８，１１０，１１３，１１５により装置起動用信号のビットレートを段階的に低くする。
【０１３１】
上記ＷＤＭ伝送システムの動作例（起動方法）について、図２４を用いて説明する。
まず、光送信局１００，１００−Ａ〜１００−Ｌでは、ＯＳＣ信号送信器１０４によって、周波数ｆＯＳＣのＯＳＣ信号の生成、送信を開始する（ステップＳ７００）。
ＯＳＣ信号は、ＶＯＡ１０５及び減衰量制御回路１０６により、その光パワー（レベル）がＳＯＡ１０７の入力光レベルの許容範囲内に収まるように、また、ＳＯＡ１０７への入力光パワーレベルが一定レベルとなるように減衰制御される（ステップＳ７０１）。
【０１３２】
駆動電流制御回路１０８は、ＳＯＡ１０７に与える駆動電流を一定レベルに制御し（ステップＳ７０２）、ＳＯＡ１０７での増幅利得が一定の値となるように制御する。
ここで、ＳＯＡ１０７は、所定のレベル以上の駆動電流が与えられなければ損失媒体として動作する。そのため、駆動電流制御回路１０８は、例えば、ＳＯＡ１０７からの出力光パワーレベルがＯＳＣ信号送信器１０４からの出力光パワーレベルと同程度となるようにＳＯＡ１０７に駆動電流を与える。
【０１３３】
ＳＯＡ１０７により増幅されたＯＳＣ信号は、光カプラ１０３により光伝送路４００に挿入され、光受信局４００へ送信される。光受信局２００は、ＯＳＣ信号受信器２０９により前記ＯＳＣ信号を受信、識別できたか（つまり、ＯＳＣ通信が確立したか）どうかを判定する（ステップＳ７０３）。
その結果、ＯＳＣ通信が確立したと判定した場合（ステップＳ７０３のＹｅｓルート）、光受信局２００は、ラマン励起光源２０６、光増幅器（ＥＤＦＡ）２１０を起動する（ステップＳ７１５）。
【０１３４】
光送信局１００，１００−Ａ〜１００−Ｌは、対向回線のＯＳＣ通信の確立により、光増幅器（ＥＤＦＡ）１０２を起動して、主信号光（ＷＤＭ光）の送信を開始する（ステップＳ７１４）。
一方、前記ＯＳＣ通信が確立しない場合（ステップＳ７０３のＮｏルート）、光送信局１００，１００−Ａ〜１００−Ｌは、ＳＯＡ１０７から出力されるＯＳＣ信号の出力光パワーレベルを増加制御する（ステップＳ７０４）。この制御は、例えば、駆動電流制御回路１０８からＳＯＡ１０７に与える駆動電流を大きくするか、減衰量制御回路１０６によりＶＯＡ１０５の減衰量を小さくするか、あるいはその両方を行なうことで可能である。その際、ＳＯＡ１０７の出力光パワーレベルは決まった値（例えば、上限値）まで一度に増大させてもよいし、上限値まで段階的に増大させてもよい（ステップＳ７０５のＮｏ（紙面左側方向）ルート）。
【０１３５】
光送信局１００，１００−Ａ〜１００−Ｌは、ＳＯＡ１０７の出力光パワーレベルの増大により、光受信局２００とのＯＳＣ通信が確立できたかを判定する（ステップＳ７０５）。
ＯＳＣ通信が確立できた場合（ステップＳ７０５のＹｅｓルート）、光受信局２００は、ラマン励起光源２０６、光増幅器（ＥＤＦＡ）２１０を起動する（ステップＳ７１５）。光送信局１００，１００−Ａ〜１００−Ｌは、対向回線のＯＳＣ通信の確立により、光増幅器（ＥＤＦＡ）１０２を起動して、主信号光（ＷＤＭ光）の送信を開始する（ステップＳ７１４）。
【０１３６】
一方、ＳＯＡ１０７の出力光パワーレベルが上限値に達してもＯＳＣ通信が確立できない場合（ステップＳ７０５のＮｏ（紙面下側方向）ルート）、光送信局１００，１００−Ａ〜１００−Ｌは、駆動電流制御回路１０８によって、ＳＯＡ１０７に与える駆動電流を図２で説明したように制御してＳＯＡ１０７の増幅利得を周波数ｆＯＳＣよりも低い周波数ｆＰＣで変化させることにより、ＯＳＣ信号のパワーレベルを周波数ｆＰＣで変化させて、周波数ｆＰＣの装置起動用信号を生成する（ステップＳ７０６）。  この装置起動用信号が重畳されたＯＳＣ信号は、光カプラ１０３により光伝送路４００に挿入されて、光受信局２００へ伝送される。光受信局２００では、光モニタ用ＰＤ２０２、ＡＤＣ２０３及び信号処理回路２０４により、前記装置起動用信号が受信、識別できるか否かを監視する（ステップＳ７０７）。その際、光送信局１００，１００−Ａ〜１００−Ｌは、周波数ｆＰＣの装置起動用信号が、光受信局２００で受信（識別）が確認されたことを検知するまで、前記装置起動用信号のビットレート（周波数）を下限値まで段階的に低く制御する（ステップＳ７０７のＮｏ（紙面左側方向）ルート）。
【０１３７】
装置起動用信号の周波数が下限値に達しても信号処理回路２０４にて、前記装置起動用信号の受信が識別されない場合（ステップＳ７０７のＮｏ（紙面下側方向）ルート）、光受信局２００は、光増幅器２１０やラマン励起光源２０６の起動制御は行なわない（ステップＳ７０８）。
一方、信号処理回路２０４にて装置起動用信号の受信が識別できた場合（ステップＳ７０７のＹｅｓルート）、光受信局２００は、制御回路２０５により、ラマン励起光源２０６を起動する（ステップＳ７０９）。また、光受信局２００は、当該起動の旨を対向回線にて光送信局１００，１００−Ａ〜１００−Ｌへ通知する（ステップＳ７１０）。前記ラマン励起光源２０６の起動通知は、光受信局２００（信号処理回路２０４）にて装置起動用信号の受信が確認されたことを光送信局１００，１００−Ａ〜１００−Ｌに通知する意味もある。
【０１３８】
光受信局２００から前記通知を受けた光送信局１００，１００−Ａ〜１００−Ｌは、駆動電流制御回路１０８によってＳＯＡ１０７に与える駆動電流を一定に制御してＳＯＡ１０７での増幅利得を一定に制御することで、ＯＳＣ信号に装置起動用信号を重畳することを中止する（装置起動用信号の生成を停止する）（ステップＳ７１１）。
その後、光受信局２００は、前記ラマン励起光源２０６の起動により、光送信局１００，１００−Ａ〜１００−ＬからのＯＳＣ信号がＯＳＣ信号受信器２０９にて受信、識別できるようになり、光送信局１００とのＯＳＣ通信が確立する（ステップＳ７１２）。ＯＳＣ通信が確立できた場合、光受信局２００は、光増幅器（ＥＤＦＡ）２１０を起動する。
【０１３９】
そして、対向回線のＯＳＣ通信も確立でき、光送信局１００，１００−Ａ〜１００−Ｌは、その確立が確認されてから、ＥＤＦＡ１０２を起動して（ステップＳ７１３）、主信号光（ＷＤＭ光）の送信を開始する（ステップＳ７１４）。
これにより、光送信局１００，１００−Ａ〜１００−Ｌは、長距離の伝送区間距離であってもＯＳＣ信号が受信局２００に到達する確率をさらに向上させることが可能となる。
【０１４０】
なお、上述した動作例では、ＳＯＡ１０７の増幅利得を周波数ｆＰＣで変化させることにより装置起動用信号を生成したが、もちろん、上記の各変形例で説明した方法により装置起動用信号を生成するようにしてもよい。
〔３〕その他
なお、上述した光送信局１００，１００−Ａ〜１００−Ｌ、受信側光伝送装置２００の各処理は、必要に応じて取捨選択してもよいし、適宜組み合わせてもよい。
【０１４１】
また、上述したＷＤＭ伝送システムの動作例（起動方法）では、ＯＳＣ信号による疎通確認を試みてから、装置起動用信号による疎通確認を実施しているが、始めに装置起動用信号による疎通確認を行なうようにしてもよい。このようにすれば、伝送区間の疎通確認に要する時間を短縮化でき、その結果、ＷＤＭシステムの起動に要する時間を短縮化することが可能となる。
【０１４２】
さらに、上記動作例では、装置起動用信号による疎通確認後、さらにＯＳＣ通信の確立が確認されてから、ＥＤＦＡ１０２，２１０を起動しているが、装置起動用信号による疎通確認がなされたときに、ＥＤＦＡ１０２，２１０を起動するようにしてもよい。
また、上記動作例では、光受信局２００は、装置起動用信号の受信確認後、ラマン励起光源２０６の起動の旨を対向回線にて光送信局１００へ通知しているが、ＯＳＣ信号受信器２０９にてＯＳＣ信号の受信が確認された場合はその旨を通知するようにしてもよい。このようにすれば、光送信局１００は、上記通知によりＯＳＣ通信の確立を確認できるので、ＥＤＦＡ１０２の起動までにかかる時間を短縮化することができる。
【０１４３】
さらに、上記動作例では、装置起動用信号の疎通確認後、光送信局１００が装置起動用信号の生成を停止しているが、光受信局２００が装置起動用信号の受信に係る処理を停止するようにしてもよい。このようにすれば、上記ＷＤＭ伝送システムは、消費電力を更に低減することが可能となる。
また、上述した例では、ＯＳＣ信号に装置起動用信号を重畳する例について説明したが、その他の信号光、例えば、Optical Auxiliary Channel（ＯＡＣ）の信号光に、装置起動用信号（情報）を重畳してもよい。
【０１４４】
さらに、上述した例では、ＷＤＭ伝送システムを例として説明したが、上記方法は、その他の伝送システムに適用してもよい。
以上の実施例及び変形例を含む実施形態に関し、さらに以下の付記を開示する。
〔４〕付記
（付記１）
光受信局としての光伝送装置へ光伝送路を介して信号光を送信する光送信局としての光伝送装置であって、
第１周波数をもつ制御信号光を前記光伝送路へ送信する送信手段と、
前記制御信号光のパワーレベルを、前記第１周波数よりも低い第２周波数で変化させる制御手段と、
をそなえることを特徴とする、光伝送装置。
【０１４５】
（付記２）
前記制御手段は、
前記制御信号光を増幅する光増幅部と、
前記光増幅部の利得を、前記第２周波数で変化させる利得制御部と、
をそなえることを特徴とする、付記１記載の光伝送装置。
【０１４６】
（付記３）
前記制御手段は、
前記制御信号光のパワーレベルを減衰する光減衰部と、
前記光減衰部の減衰量を、前記第２周波数で変化させる減衰量制御部と、
をそなえることを特徴とする、付記１記載の光伝送装置。
【０１４７】
（付記４）
前記制御手段は、
前記制御信号光を、通過又は遮断する通過／遮断部と、
前記通過／遮断部での通過又は遮断を、前記第２周波数で切り替える通過／遮断制御部と、
をそなえることを特徴とする、付記１記載の光伝送装置。
【０１４８】
（付記５）
前記制御手段は、
前記第２周波数を、前記光送信局と前記光受信局との間の伝送距離が長いほど低い値に設定する周波数制御部、
をそなえることを特徴とする、付記１〜４のいずれか１項に記載の光伝送装置。
【０１４９】
（付記６）
前記制御手段は、
前記第２周波数を、前記光送信局と前記光受信局との間の伝送距離と前記制御信号光の送信レベルとに応じて設定する周波数制御部、
をそなえることを特徴とする、付記１〜４のいずれか１項に記載の光伝送装置。
【０１５０】
（付記７）
前記制御手段は、
前記光受信局で前記第２周波数の信号光成分の受信が確認されたことを検知するまで、前記第２周波数を段階的に低く制御する周波数低下制御部、
をそなえることを特徴とする、付記１〜６のいずれか１項に記載の光伝送装置。
【０１５１】
（付記８）
光送信局としての光伝送装置から光伝送路を介して信号光を受信する光受信局としての光伝送装置であって、
前記光送信局が第１周波数をもつ制御信号光のパワーレベルをその第１周波数よりも低い第２周波数で変化させて送信した信号光を受信しうる受信手段と、
前記受信手段で前記第２周波数の信号光成分が受信されるか否かを監視する監視手段と、
をそなえることを特徴とする、光伝送装置。
【０１５２】
（付記９）
前記監視手段は、
前記監視の結果、前記第２周波数の信号光成分の受信が確認された場合に、システム起動処理を実施するシステム起動処理部、
をそなえることを特徴とする、付記８記載の光伝送装置。
【０１５３】
（付記１０）
前記システム起動処理部は、
前記光受信局に設けられた、前記制御信号光にラマン利得を与えるラマン励起光源を起動するラマン励起光源制御部、
をそなえることを特徴とする、付記９記載の光伝送装置。
【０１５４】
（付記１１）
前記システム起動処理部は、
前記光送信局に、前記ラマン励起光源の起動を通知する通知部、
をそなえることを特徴とする、付記１０記載の光伝送装置。
（付記１２）
前記監視手段は、
前記光伝送路からの入力光を受光する受光デバイスと、
前記受光デバイスで受光された入力光レベルを前記第２周波数よりも高い周波数でサンプリングするサンプリング部と、
をそなえることを特徴とする、付記８〜１１のいずれか１項に記載の光伝送装置。
【０１５５】
（付記１３）
前記制御信号光は、前記光送信局と前記光受信局との間の疎通確認に用いられる信号光であり、
前記第２周波数の信号光成分は、前記光受信局の起動処理を要求する信号光成分である、
ことを特徴とする、付記１〜１２のいずれか１項に記載の光伝送装置。
【０１５６】
（付記１４）
光伝送路を介して信号光を送信する光送信局としての光伝送装置と、
前記光送信局から前記光伝送路を介して信号光を受信する光受信局としての光伝送装置と、
第１周波数をもつ制御信号光を前記光伝送路へ送信する送信手段と、
前記制御信号光のパワーレベルを、前記第１周波数よりも低い第２周波数で変化させる制御手段と、
前記光送信局が送信した前記制御信号光を受信しうる受信手段と、
前記受信手段で前記第２周波数の信号光成分が受信されるか否かを監視する監視手段と、
をそなえることを特徴とする、光伝送システム。
【０１５７】
（付記１５）
光送信局としての光伝送装置と、光受信局としての光伝送装置と、前記光送信局と前記光受信局とを接続する光伝送路と、をそなえた光伝送システムの通信方法であって、
前記光送信局は、
第１周波数をもつ制御信号光のパワーレベルを、前記第１周波数よりも低い第２周波数で変化させ、
前記パワーレベルを変化させた制御信号光を、前記光伝送路を介して前記光受信局に送信し、
前記光受信局は、
前記光伝送路から前記第２周波数の信号光成分が受信されるか否かを監視する、
ことを特徴とする、光伝送システムの通信方法。
【０１５８】
（付記１６）
前記光受信局は、
前記監視の結果、前記第２周波数の信号光成分の受信が確認された場合に、システム起動処理を実施する、
ことを特徴とする、付記１５記載の光伝送システムの通信方法。
【０１５９】
（付記１７）
前記光受信局は、
前記システム起動処理が実施されると、当該光受信局に設けられる、前記制御信号光にラマン利得を与えるラマン励起光源を起動し、
前記光送信局に、前記ラマン励起光源の起動を通知する、
ことを特徴とする、付記１６記載の光伝送システムの通信方法。
【０１６０】
（付記１８）
前記光送信局は、
前記光受信局から前記通知を受けた場合に、前記パワーレベルの変化を停止して前記制御信号光を前記光伝送路へ送信する、
ことを特徴とする、付記１７記載の光伝送システムの通信方法。
【図面の簡単な説明】
【０１６１】
【図１】一実施形態に係る伝送システムの構成例を示すブロック図である。
【図２】ＳＯＡの駆動電流−利得特性を示す図である。
【図３】ＯＳＣ信号と装置起動用信号との関係を示す図である。
【図４】装置起動用信号のクロックとＡＤＣサンプリング用クロックとの関係を示す図である。
【図５】図１に示す伝送システムの動作例を示すフローチャートである。
【図６】一実施形態に係る伝送システムのその他の構成例を示すブロック図である。
【図７】一実施形態に係る伝送システムのその他の構成例を示すブロック図である。
【図８】ＳＯＡの入力光パワー−出力光パワー特性を示す図である。
【図９】第２変形例に係る伝送システムの動作例を示すフローチャートである。
【図１０】第３変形例に係る伝送システムの構成例を示すブロック図である。
【図１１】第３変形例に係る伝送システムのその他の構成例を示すブロック図である。
【図１２】第３変形例に係る伝送システムのその他の構成例を示すブロック図である。
【図１３】第３変形例に係る伝送システムの動作例を示すフローチャートである。
【図１４】第４変形例に係る伝送システムの構成例を示すブロック図である。
【図１５】第４変形例に係る伝送システムのその他の構成例を示すブロック図である。
【図１６】第４変形例に係る伝送システムのその他の構成例を示すブロック図である。
【図１７】第４変形例に係る伝送システムのその他の構成例を示すブロック図である。
【図１８】第４変形例に係る伝送システムのその他の構成例を示すブロック図である。
【図１９】第４変形例に係る伝送システムのその他の構成例を示すブロック図である。
【図２０】第４変形例に係る伝送システムの動作例を示すフローチャートである。
【図２１】第５変形例に係る伝送システムの構成例を示すブロック図である。
【図２２】第５変形例に係る伝送システムの動作例を示すフローチャートである。
【図２３】第６変形例に係る伝送システムの動作例を示すフローチャートである。
【図２４】第７変形例に係る伝送システムの動作例を示すフローチャートである。
【符号の説明】
【０１６２】
１００，１００−Ａ，１００−Ｂ，１００−Ｃ，１００−Ｄ，１００−Ｅ，１００−Ｆ，１００−Ｇ，１００−Ｈ，１００−Ｉ，１００−Ｊ，１００−Ｋ，１００−Ｌ  光送信局
１０１  信号光送信器
１０２  光増幅器（ＥＤＦＡ）
１０３  光カプラ
１０４  ＯＳＣ信号送信器（ＯＳＣ  Ｔｘ）
１０５  可変光減衰器（ＶＯＡ）
１０６  減衰量制御回路
１０７  半導体光増幅器（ＳＯＡ）
１０８  駆動電流制御回路
１０９  固定減衰器（ＰＡＴＴ）
１１０  減衰量制御回路
１１１  可変光減衰器（ＶＯＡ）
１１２  光シャッター
１１３  制御回路
１１４  メモリ
１１５  演算・制御回路
１１６  ＷＤＭカプラ
２００  光受信局
２０１  光カプラ
２０２  光モニタ用フォトダイオード（ＰＤ）
２０３  アナログ・デジタル変換回路（ＡＤＣ）
２０４  信号処理回路
２０５  制御回路
２０６  ラマン増幅用励起光源（ラマン励起光源）
２０７  光カプラ
２０８  光カプラ
２０９  ＯＳＣ信号受信器（ＯＳＣ  Ｒｘ）
２１０  光増幅器（ＥＤＦＡ）
２１１  ＷＤＭカプラ
４００  光伝送路
【図１】
2010011384.tif 000003
【図２】
2010011384.tif 000004
【図３】
2010011384.tif 000005
【図４】
2010011384.tif 000006
【図５】
2010011384.tif 000007
【図６】
2010011384.tif 000008
【図７】
2010011384.tif 000009
【図８】
2010011384.tif 000010
【図９】
2010011384.tif 000011
【図１０】
2010011384.tif 000012
【図１１】
2010011384.tif 000013
【図１２】
2010011384.tif 000014
【図１３】
2010011384.tif 000015
【図１４】
2010011384.tif 000016
【図１５】
2010011384.tif 000017
【図１６】
2010011384.tif 000018
【図１７】
2010011384.tif 000019
【図１８】
2010011384.tif 000020
【図１９】
2010011384.tif 000021
【図２０】
2010011384.tif 000022
【図２１】
2010011384.tif 000023
【図２２】
2010011384.tif 000024
【図２３】
2010011384.tif 000025
【図２４】
2010011384.tif 000026